(57)【特許請求の範囲】
【請求項１】
開閉体を開き移動と閉じ移動のうち、少なくとも開き移動させるための開閉機と、この開閉機から延びる電気コードと、を含んで構成されている電動式開閉装置の配線構造において、前記電気コードは、前記開閉体に対して不動となっている不動部材の内部に配線されており、
前記不動部材は、少なくとも前記開閉体を収納するための収納部材であり、
前記開閉体は、巻取軸から繰り出され、巻き取られ、前記開閉機は、前記収納部材の内部に収納されており、
前記巻取軸の軸方向の両端部を支持するための一対の支持部材も、前記収納部材の前記内部に収納されており、
前記電気コードは、一方の前記支持部材に形成された第１孔と、一方の前記支持部材と対向する前記収納部材の一方の側面部に形成された第２孔と、に挿通されて前記収納部材の外部に一旦露出した後、前記収納部材の一方の前記側面部に形成されていて前記第２孔とは別の孔である第３孔と、一方の前記支持部材に形成されていて前記第１孔とは別の孔である第４孔と、に挿通されて前記収納部材の前記内部に進入するとともに、一方の前記支持部材から他方の前記支持部材まで延びた後、他方の前記支持部材に形成された第５孔と、他方の前記支持部材と対向する前記収納部材の他方の側面部に形成された第６孔と、に挿通されて前記収納部材の外部に露出していることを特徴とする電動式開閉装置の配線構造。
【請求項２】
請求項１に記載の電動式開閉装置の配線構造において、前記第３孔の中心位置と、前記第４孔の中心位置と、前記第５孔の中心位置と、前記第６孔の中心位置は、一致又は略一致していることを特徴とする電動式開閉装置の配線構造。
【請求項３】
開閉体を開き移動と閉じ移動のうち、少なくとも開き移動させるための開閉機と、この開閉機から延びる電気コードと、を含んで構成されている電動式開閉装置の配線構造において、前記電気コードは、前記開閉体に対して不動となっている不動部材の内部に配線されており、
前記不動部材は、少なくとも前記開閉体を収納するための収納部材と、前記開閉体の幅方向の両端部がスライド自在に挿入され、前記開閉体の開閉移動を案内するための一対のガイド部材であり、
前記開閉体は、巻取軸から繰り出され、巻き取られ、前記開閉機は、前記収納部材の内部に収納されており、
前記巻取軸の軸方向の両端部を支持するための一対の支持部材も、前記収納部材の前記内部に収納されており、
前記電気コードは、一方の前記支持部材に形成された第１孔と、一方の前記支持部材と対向する前記収納部材の一方の側面部に形成された第２孔と、に挿通されて前記収納部材の外部に一旦露出した後、前記収納部材の一方の前記側面部に形成されていて前記第２孔とは別の孔である第３孔と、一方の前記支持部材に形成されていて前記第１孔とは別の孔である第４孔と、に挿通されて前記収納部材の前記内部に進入するとともに、一方の前記支持部材から他方の前記支持部材の手前まで延びた後、一対の前記ガイド部材のうち、前記開閉体の幅方向の前記両端部のうちの他方の前記支持部材の側の端部がスライド自在に挿入される一方の前記ガイド部材の内部に挿通されていることを特徴とする電動式開閉装置の配線構造。
【請求項４】
請求項１〜３のいずれかに記載の電動式開閉装置の配線構造において、前記電気コードのうち、前記収納部材の外部から露出している部分は、前記収納部材の前記側面部に取り付けられたカバー部材で覆われていることを特徴とする電動式開閉装置の配線構造。
【請求項５】
請求項１〜４のいずれかに記載の電動式開閉装置の配線構造において、一方の前記支持部材と他方の前記支持部材との間には、これらの支持部材を補強するための補強部材が架設されており、前記電気コードは、前記補強部材に載置されていることを特徴とする電動式開閉装置の配線構造。
【請求項６】
請求項５に記載の電動式開閉装置の配線構造において、前記収納部材の前記内部には、前記電気コードを案内するための案内部材が配置されていることを特徴とする電動式開閉装置の配線構造。
【請求項７】
請求項６に記載の電動式開閉装置の配線構造において、前記案内部材は、前記電気コードが通過可能な内径寸法を有する管部材となっており、この管部材が前記補強部材に載置されていることを特徴とする電動式開閉装置の配線構造。
【請求項８】
請求項５〜７のいずれかに記載の電動式開閉装置の配線構造において、前記補強部材は、上向きに開口したチャンネル材となっていることを特徴とする電動式開閉装置の配線構造。
【請求項９】
請求項１〜８のいずれかに記載の電動式開閉装置の配線構造において、前記開閉機は、前記巻取軸の内部に収納配置されており、前記電気コードは、前記巻取軸の軸方向の両端部のうちの一方の端部から導出されていることを特徴とする電動式開閉装置の配線構造。
【請求項１０】
請求項１〜９のいずれかに記載の電動式開閉装置の配線構造において、前記電動式開閉装置には、前記開閉機の電動モータが停止しているときに、前記開閉機のブレーキをオン、オフ切り替え操作するための紐状の切替部材が備えられており、前記電気コードは、この切替部材と干渉しない位置に配線されていることを特徴とする電動式開閉装置の配線構造。
【請求項１１】
開閉体を開き移動と閉じ移動のうち、少なくとも開き移動させるための開閉機と、この開閉機から延びる電気コードと、を含んで構成されている電動式開閉装置の配線方法において、
前記開閉体は、巻取軸から繰り出され、巻き取られ、前記開閉機は、少なくとも前記開閉体を収納するための収納部材の内部に収納されており、前記巻取軸の軸方向の両端部を支持するための一対の支持部材も、前記収納部材の前記内部に収納されており、
前記電気コードを、一方の前記支持部材に形成された第１孔と、一方の前記支持部材と対向する前記収納部材の一方の側面部に形成された第２孔と、に挿通して前記収納部材の外部に一旦露出させる第１作業工程と、
この第１作業工程の後に実施され、前記電気コードを、前記収納部材の一方の前記側面部に形成されていて前記第２孔とは別の孔である第３孔と、一方の前記支持部材に形成されていて前記第１孔とは別の孔である第４孔と、に挿通して前記収納部材の前記内部に進入させる第２作業工程と、
この第２作業工程の後に実施され、前記電気コードを、一方の前記支持部材から他方の前記支持部材まで延ばす第３作業工程と、
この第３作業工程の後に実施され、前記電気コードを、他方の前記支持部材に形成された第５孔と、他方の前記支持部材と対向する前記収納部材の他方の側面部に形成された第６孔と、に挿通して前記収納部材の外部に露出させる第４作業工程と、
を含むことを特徴とする電動式開閉装置の配線方法。
【請求項１２】
請求項１１に記載の電動式開閉装置の配線方法において、前記第３孔の中心位置と、前記第４孔の中心位置と、前記第５孔の中心位置と、前記第６孔の中心位置は、一致又は略一致していることを特徴とする電動式開閉装置の配線方法。
【請求項１３】
開閉体を開き移動と閉じ移動のうち、少なくとも開き移動させるための開閉機と、この開閉機から延びる電気コードと、を含んで構成されている電動式開閉装置の配線方法において、
前記開閉体は、巻取軸から繰り出され、巻き取られ、前記開閉機は、少なくとも前記開閉体を収納するための収納部材の内部に収納されており、前記巻取軸の軸方向の両端部を支持するための一対の支持部材も、前記収納部材の前記内部に収納されており、
前記電気コードを、一方の前記支持部材に形成された第１孔と、一方の前記支持部材と対向する前記収納部材の一方の側面部に形成された第２孔と、に挿通して前記収納部材の外部に一旦露出させる第１作業工程と、
この第１作業工程の後に実施され、前記電気コードを、前記収納部材の一方の前記側面部に形成されていて前記第２孔とは別の孔である第３孔と、一方の前記支持部材に形成されていて前記第１孔とは別の孔である第４孔と、に挿通して前記収納部材の前記内部に進入させる第２作業工程と、
この第２作業工程の後に実施され、前記電気コードを、一方の前記支持部材から他方の前記支持部材の手前まで延ばす第３作業工程と、
この第３作業工程の後に実施され、前記電気コードを、前記開閉体の開閉移動を案内するための一対のガイド部材のうち、前記開閉体の幅方向の両端部のうちの他方の前記支持部材の側の端部がスライド自在に挿入される一方の前記ガイド部材の内部に挿通する第４作業工程と、
を含むことを特徴とする電動式開閉装置の配線方法。
【請求項１４】
請求項１１〜１３のいずれかに記載の電動式開閉装置の配線方法において、前記第４作業工程の後に実施され、前記電源コードを建物内部に外力にさらされないように通す第５作業工程を含むことを特徴とする電動式開閉装置の配線方法。
【発明の詳細な説明】
【技術分野】
【０００１】
本発明は、開閉体を開き移動と閉じ移動のうち、少なくとも開き移動させるための開閉機を備えた電動式開閉装置の配線構造及び配線方法に係り、例えば、窓用シャッター装置や出入口用シャッター装置や防災用シャッター装置を含む各種の電動式シャッター装置（手動式巻取軸から電動式巻取軸に改修されたシャッター装置を含む）、ロールブラインド装置、オーニング装置、防煙垂れ幕装置、オーバーヘッドドア（オーバースライディングドア）等に利用できるものである。
【背景技術】
【０００２】
下記の特許文献１には、窓サッシの外側に配設された電動式開閉装置である窓用シャッター装置が示されている。
【０００３】
この窓用シャッター装置は、開閉体であるシャッターカーテンを開閉移動させるための開閉機と、シャッターカーテンを巻き取り、繰り出す巻取軸と、この巻取軸を支持するための支持部材である支持用ブラケットと、開閉機から延びる電気コードである電源コードと、前記開閉機と前記支持用ブラケットと前記巻取軸を収納するための収納部材であるシャッターケースと、を含んで構成されている。
【先行技術文献】
【特許文献】
【０００４】
【特許文献１】特開２００４−２５７０６３号公報
【発明の概要】
【発明が解決しようとする課題】
【０００５】
ところで、開閉機から延びる電源コードは、所定の箇所（例えば、開閉機に電源を供給するための電源接続部である商用電源のコンセント）まで、できるだけ外力（雨水や埃等を含む）にさらされないように配線することが好ましい。
【０００６】
このため、開閉機から延びる電源コードを外力から保護するための配線構造及び配線方法の工夫が求められている。
【０００７】
本発明の目的は、開閉機から延びる電気コードを外力から保護できるようになる電動式開閉装置の配線構造及び配線方法を提供するところにある。
【課題を解決するための手段】
【０００８】
本発明に係る電動式開閉装置の配線構造は、開閉体を開き移動と閉じ移動のうち、少なくとも開き移動させるための開閉機と、この開閉機から延びる電気コードと、を含んで構成されている電動式開閉装置の配線構造において、前記電気コードは、前記開閉体に対して不動となっている不動部材の内部に配線されていることを特徴とするものである。
【０００９】
本発明では、開閉機から延びる電気コードは、不動部材の内部に配線されており、したがって、電気コードは、外力（雨水や埃等を含む）にさらされることが防止される。
【００１０】
このため、本発明によると、開閉機から延びる電気コードを外力から保護できるようになる。
【００１１】
ここで、開閉機から延びる電気コードとは、開閉機に電力を供給するための電源接続部（電源コンセント）に終端部が接続される電源コード（電源線）（アース線を含む）や、開閉機の動作制御を行うための開閉機操作部（リモコン）に終端部が接続される制御コード（制御線）等をいう。
【００１２】
本発明において、前記不動部材は、前記開閉体に対して不動となっている部材であれば任意なものでよく、前記不動部材は、例えば、少なくとも前記開閉体を収納するための収納部材でもよく、前記開閉体の開閉移動を案内するためのガイド部材でもよく、これらの両方でもよい。
【００１３】
前記電気コードは、前記不動部材の内部に配線された後は、さらに別の不動部材の内部に配線されるものであってもよく、終端部が上述した電源接続部や開閉機操作部等に接続されるものであってもよい。
【００１４】
本発明において、前記開閉体は、巻取軸から繰り出され、巻き取られものであってもよい、開閉移動方向にスライド移動するものであってもよい。
【００１５】
また、本発明において、前記開閉機は、前記収納部材の内部に収納されていてもよく、収納されていなくてもよい（言い換えると、前記収納部材の外部に配置されていてよい）。
【００１６】
本発明において、前記開閉体は、前記巻取軸から繰り出され、巻き取られ、前記開閉機は、前記収納部材の内部に収納するものとした場合における配線構造は任意なものでよく、その一例として、前記開閉機から延びる前記電気コードを、前記収納部材の内部における前記収納部材の内部におけるこの収納部材の幅方向（言い換えると長手方向）の両端部のうちの一方の端部から他方の端部まで延びるようにした配線構造を挙げることができる。
【００１７】
この配線構造は、前記開閉機が、前記収納部材の内部におけるこの収納部材の幅方向の両端部のうちの前記一方の端部側（言い換えると、前記収納部材の内部におけるこの収納部材の幅方向中央部よりも前記一方の端部側）に配置され、前記電源接続部や前記開閉機操作部等が、前記収納部材よりもこの収納部材の幅方向の両端部のうちの前記他方の端部側に配置されている場合において好適なものとなる。
【００１８】
本発明において、上述したように、前記不動部材が前記収納部材となっている場合において、前記開閉体の幅方向の両端部がスライド自在に挿入され、前記開閉体の開閉移動を案内するための一対のガイド部材も前記不動部材としてよい。すなわち、前記不動部材には、前記収納部材の他に、前記収納部材とは別の不動部材である前記一対のガイド部材を含めてもよい。
【００１９】
この場合には、上述した配線構造の例において、前記電気コードは、前記収納部材の内部におけるこの収納部材の幅方向の両端部のうちの前記一方の端部から前記他方の端部まで延びるようにした後、前記開閉体の幅方向の両端部のうちの前記他方の端部がスライド自在に挿入される前記ガイド部材の内部に挿通されるようにしてもよい。
【００２０】
この配線構造は、前記開閉機が、前記収納部材の内部におけるこの収納部材の幅方向の両端部のうちの前記一方の端部側（言い換えると、前記収納部材の内部におけるこの収納部材の幅方向中央部よりも前記一方の端部側）に配置され、前記電源接続部や前記開閉機操作部が、前記収納部材よりもこの収納部材の幅方向の両端部のうちの前記他方の端部側であって、前記収納部材よりも前記開閉体の閉じ側（閉じ移動方向側）に配置されている場合において好適なものとなる。
【００２１】
本発明において、前記巻取軸の軸方向の両端部を支持するための一対の支持部材は、前記収納部材に収納し、前記一対の支持部材のうちの一方の前記支持部材と他方の前記支持部材との間には、これらの支持部材を補強するための補強部材を架設するようにしてもよい。
【００２２】
この場合において、前記電気コードを、前述したように、前記収納部材の内部におけるこの収納部材の幅方向の両端部のうちの前記一方の端部から前記他方の端部まで延びるようにした場合には、前記電気コードを、前記補強部材に載置するようにしてもよい。
【００２３】
これによると、前記電気コードを、前記収納部材の内部におけるこの収納部材の幅方向の両端部のうちの前記一方の端部から前記他方の端部まで宙吊り状態で延びるようにした場合と比較して、前記電気コードが、開閉移動する前記開閉体等の他の部材の邪魔になることを防止することができ、また、前記電気コードの耐久性を高めることができる。
【００２４】
ここで、前記補強部材の形状、構造等は任意なものでよく、例えば、前記補強部材は、上向きに開口したチャンネル材となっていてもよく、断面略Ｌ字状の板状部材等となっていてもよい。
【００２５】
前者の場合によると、前記収納部材の内部におけるこの収納部材の幅方向の両端部のうちの前記一方の端部から前記他方の端部まで延びる前記電気コードが、前記補強部材から脱落することを防止することができる。
【００２６】
本発明において、前述したように、前記不動部材が前記収納部材となっている場合において、前記開閉体の幅方向の両端部がスライド自在に挿入され、前記開閉体の開閉移動を案内するための一対のガイド部材も前記不動部材としてよい。すなわち、前記不動部材には、前記収納部材の他に、前記収納部材とは別の不動部材である前記一対のガイド部材を含めてもよい。
【００２７】
そして、この場合には、前記開閉機から延びる前記電気コードは、前記収納部材の内部を経由して、前記開閉体の幅方向の両端部のうちの前記一方の端部がスライド自在に挿入される前記ガイド部材の内部に挿通されるようにしてもよい。すなわち、前記電気コードを、前記収納部材の内部におけるこの収納部材の幅方向の両端部のうちの前記一方の端部から前記他方の端部まで延ばさずに、前記開閉体の幅方向の両端部のうちの前記一方の端部がスライド自在に挿入される前記ガイド部材の内部に挿通されるようにしてもよい。
【００２８】
この配線構造は、前記開閉機が、前記収納部材の内部におけるこの収納部材の幅方向の両端部のうちの前記一方の端部側（言い換えると、前記収納部材の内部におけるこの収納部材の幅方向中央部よりも前記一方の端部側）に配置され、前記電源接続部や前記開閉機操作部が、前記収納部材よりもこの収納部材の幅方向の両端部のうちの前記一方の端部側であって、前記収納部材よりも前記開閉体の閉じ側（閉じ移動方向側）に配置されている場合において好適なものとなる。
【００２９】
すなわち、この配線構造は、前記開閉機と、前記電源接続部や前記開閉機操作部とが、共に前記収納部材の幅方向の両端部のうちの前記一方の端部側に配置され、かつ、前記電源接続部や前記開閉機操作部が、前記収納部材よりも前記開閉体の閉じ側に配置されている場合において好適なものとなる。
【００３０】
本発明において、前述したように、前記開閉体は、前記巻取軸から繰り出され、巻き取られ、前記開閉機は、前記収納部材の内部に収納するものとした場合には、前記開閉機は、前記巻取軸の内部に収納配置されるものであってもよく、前記巻取軸の外部に配置されるものであってもよい。
【００３１】
前者の場合には、前記電気コードは、前記巻取軸の軸方向の両端部のうちの一方の端部から導出させことが好ましい。
【００３２】
なお、前者の場合には、前記巻取軸の内部における前記開閉機の配置位置は任意であり、この配置位置は、例えば、前記巻取軸の内部におけるこの巻取軸の軸方向の両端部のうちの一方の端部側でもよく、他方の端部側でもよく、前記巻取軸の軸方向の中央部等でもよい。
【００３３】
なお、後者の場合には、前記開閉機と前記巻取軸のそれぞれが前記一対の支持部材で支持されるものとしてもよく、前記巻取軸は前記一対の支持部材で支持され、前記開閉機はは前記一対の支持部材とは別の支持部材で支持されるものとしてもよい。
【００３４】
なお、前記開閉機は、前記収納部材の外部に配置されるものであってもよい。
【００３５】
以上の本発明において、前記電動式開閉装置には、前記開閉機の電動モータが停止しているときに、前記開閉機のブレーキをオン、オフ切り替え操作するための紐状の切替部材を備えられていてもよく、備えられていなくてもよい。
【００３６】
前者の場合には、前記切替部材は、前記電気コードと干渉しない位置に配線することが好ましい。
【００３７】
なお、本発明において、前記電気コードは、前記収納部材や前記ガイド部材から外部に一旦露出させるようにしてもよい。この場合には、前記電気コードのうちの前記外部に露出した部分を覆うためのカバー部材を設けることが好ましい。
【００３８】
これによると、前記電気コードのうちの前記収納部材や前記ガイド部材の前記外部に露出した部分を、外力、雨水、埃等から保護することができる。
【００３９】
また、本発明において、前記電源接続部や前記開閉機操作部は、屋内（建物内部）に配置されていてもよく、屋外（建物外部）に配置されていてもよい。
【００４０】
以上の本発明において、前記開閉体は、巻取軸から繰り出され、巻き取られるシャッターカーテンでもよく、巻取軸から繰り出され、巻き取られるものではない例えば、防煙垂れ壁やオーバーヘッドドア（オーバースライディングドア）でもよい。
【００４１】
以上の本発明において、前記開閉体が前記巻取軸から繰り出され、巻き取られる前記シャッターカーテンである場合には、このシャッターカーテンは、複数種類のシャッターカーテン構成部材の複合により形成されていてもよく、これらの複数種類のシャッターカーテン構成部材は、スラットでもよく、シートでもよく、ネットでもよく、リンクで連結されたパイプ、パネル等でもよく、これらを複合したものでもよい。
【００４２】
また、本発明は、シャッターカーテンが巻取軸で巻き取られ、繰り出される各種のシャッター装置に適用することができ、その一例のシャッター装置は窓用シャッター装置であり、また、本発明は、出入口をシャッターカーテンで開閉する出入口用シャッター装置や、火災発生等の非常時等にシャッターカーテンが全閉位置に達することにより防災区画が形成される防災用シャッター装置等にも適用することができる。
【００４３】
また、本発明は、ロールブラインド装置、オーニング装置、防煙垂れ幕装置、オーバーヘッドドア（オーバースライディングドア）等にも適用することができる。
【００４４】
なお、本発明は、手動式巻取軸から電動式巻取軸に改修された各種シャッター装置、ロールブラインド装置、オーニング装置等にも適用することができる。
【００４５】
本発明に係る電動式開閉装置の配線方法は、開閉体を開き移動と閉じ移動のうち、少なくとも開き移動させるための開閉機と、この開閉機から延びる電気コードと、を含んで構成されている電動式開閉装置の配線方法において、前記開閉体は、巻取軸から繰り出され、巻き取られ、前記開閉機は、少なくとも前記開閉体を収納するための収納部材の内部に収納されており、前記開閉機から延びる前記電気コードを、前記収納部材の内部におけるこの収納部材の幅方向の両端部のうちの一方の端部から他方の端部まで延ばして配線する作業工程を含むことを特徴とするものである。
【発明の効果】
【００４６】
本発明によると、開閉機から延びる電気コードを外力から保護できるようになるという効果を得られる。
【図面の簡単な説明】
【００４７】
【図１】図１は、本発明の一実施形態が適用される電動式に改修される前の手動式の窓用シャッター装置の全体を示す正面図である。
【図２】図２は、図１で示されている手動式巻取軸の端部が支持部材である支持用ブラケットで支持されている構造を示す斜視図である。
【図３】図３は、図２の支持構造を示す分解斜視図である。
【図４】図４は、手動式巻取軸から改修される本実施形態に係る巻取軸である電動式巻取軸の構造を示す正断面図である。
【図５】図５は、電動式巻取軸における図４の右側の端部の支持用ブラケットによる支持構造を示す斜視図である。
【図６】図６は、図５の支持構造を示す分解斜視図である。
【図７】図７は、電動式巻取軸の内部に収納されていて、電動モータが構成要素となっている開閉機が、中間構成体を介して図４の左側の支持用ブラケットで支持されている構造を示す正面図である。
【図８】図８は、図７の支持構造を示す平面図である。
【図９】図９は、電動式巻取軸に改修された後の電動式開閉装置である窓用電動式シャッター装置の正面図である。
【図１０】図１０は、図９のＳ１０−Ｓ１０線断面図である。
【図１１】図１１は、開閉機から延びる電気コードである電源コードの配線構造を示す部分拡大断面図である。
【図１２】図１２は、図４のＳ１２−Ｓ１２線断面図である。
【図１３】図１３は、図７のＳ１３−Ｓ１３線断面図である。
【図１４】図１４は、図７のＳ１４−Ｓ１４線断面図である。
【図１５】図１５は、電動式巻取軸の両端部から導出された開閉機の電源コードと切替部材とを、収納部材であるシャッターケースから外部に一旦露出せたときを示す図４と同様の図である。
【図１６】図１６は、図４の電動式巻取軸の左側の端部から導出された電源コードをシャッターケースの左側の蓋部材の第１孔から一旦突出させたときを示す斜視図である。
【図１７】図１７は、図１６の電源コードをシャッターケースの左側の蓋部材の第２孔に挿通させたときを示す斜視図である。
【図１８】図１８は、図４の電動式巻取軸の右側の端部から導出された切替部材をシャッターケースの右側の蓋部材の第１孔から一旦突出させたときを示す斜視図である。
【図１９】図１９は、図１８の切替部材をシャッターケースの右側の蓋部材の第２孔に挿通させるとともに、電源コードをシャッターケースの右側の蓋部材の第３孔から突出させたときを示す斜視図である。
【図２０】図２０は、図１９に示されている切替部材を案内するために支持用ブラケットとシャッターケースに設けられる案内部材の実施形態を示す正断面図である。
【図２１】図２１は、図２０の案内部材とは異なる別実施形態に係る案内部材の開口した部分を、支持用ブラケットに形成された孔に嵌入する作業状態を示す斜視図である。
【図２２】図２２は、図７で示されている中間構成体のうち、開閉機の側となっている第１中間物を構成するそれぞれの部材を示す分解斜視図である。
【図２３】図２３は、図７で示されている中間構成体のうち、支持用ブラケットの側となっている第２中間物を構成するそれぞれの部材を示す分解斜視図である。
【図２４】図２４は、第１中間物の正面図である。
【図２５】図２５は、第１中間物の側面図である。
【図２６】図２６は、第２中間物の正面図である。
【図２７】図２７は、第２中間物の側面図である。
【図２８】図２８は、図４の左側の支持用ブラケットに設けられている軸受け部を示す側面図である。
【図２９】図２９は、図２８の軸受け部に適用される部材であって、図２３で示されている第２中間物を構成するものとなっている部材を示す側面図である。
【図３０】図３０は、左右一対の支持用ブラケットの間に架設されている補強部材の別実施形態が示された図１２と同様の図である。図である。
【図３１】図３１は、電源コードの配線構造の別実施形態が示されている図９と同様の図である。
【図３２】図３２は、図３１に示す配線構造となっている電動式巻取軸の構造を示す図４と同様の図である。
【図３３】図３３は、図３１に示す配線構造の部分拡大断面図を示す図１１と同様の図である。
【図３４】図３４は、図３１のＳ３４−Ｓ３４線断面図である。
【図３５】図３５は、図３１に示す電源コードの配線構造の変形例が示されている図９と同様の図である。
【図３６】図３６は、電源コードの配線構造のさらなる別実施形態が示されている図９と同様の図である。
【発明を実施するための形態】
【００４８】
以下に本発明を実施するための形態を図面に基づいて説明する。図１には、本発明の一実施形態が適用される窓用シャッター装置の全体正面図が示されている。図１に示されているこの窓用シャッター装置は、本実施形態に係る電動式開閉装置である電動式シャッター装置に改修される前の手動式シャッター装置である。
【００４９】
図１の手動式の窓用シャッター装置は、障子１が配設された窓サッシよりも外側の建物外壁２の部分に設置され、この窓用シャッター装置の手動用シャッターカーテン３は、左右一対のガイドレール４に案内されて上下に開閉移動することにより、窓サッシの外側の窓用開口部を開閉する。この窓用開口部の上部には収納部材であるシャッターケース（言い換えると、シャッターボックス）５が配設され、このシャッターケース５の内部に水平に収納されている手動式巻取軸６にシャッターカーテン３の上端が連結されているとともに、この手動式巻取軸６は、左右一対の支持部材である支持用ブラケット７，８で回転自在に支持されている。
【００５０】
このように、本実施形態では、シャッターカーテン３に対して不動となっている不動部材であるシャッターケース５は、手動式巻取軸６と、支持用ブラケット７，８を収納するものとなっており、後述するように、手動式巻取軸６を取り外した後に設置される内部に開閉機２１が収納された電動式巻取軸２０も、シャッターケース５に収納される。
【００５１】
なお、シャッターケース５は、上面部（天板部）と正面部とを含んで構成される本体５Ａと、この本体５Ａの左右両端を塞いでいる左右一対の蓋部材５Ｂ，５Ｃと、この本体５Ａの下端を塞いでいる蓋部材５Ｄと、を含んで構成されており、図１に示すように、蓋部材５Ｂがシャッターケース５の右側面部を、蓋部材５Ｃがシャッターケース５の左側面部を、蓋部材５Ｄがシャッターケース５の底面部（底板部）を構成するものとなっている。また、蓋部材５Ｄは、シャッターケース５の本体５Ａが前記窓用開口部の前記上部に取り付けられた状態で、本体５Ａに対して、取り付け、取り外し自在となっている。
【００５２】
なお、シャッターケース５の左右の側面部は、本体５Ａとは別部材となっている蓋部材５Ｂ，５Ｃで構成するものではなく、本体５Ａと一体となっているものでもよい。また、シャッターカース５の底面部も、本体５Ａとは別部材となっている蓋部材５Ｄで構成するものではなく、本体５Ａと一体となっているものでもよい。すなわち、シャッターケース５は、上面部と、正面部と、下面部（底面部）と、左右の側面部と、を有する一体成形によるものとしてもよい。
【００５３】
なお、図示されていないが、蓋部材５Ｄには、巻取軸から繰り出され、巻き取られるシャッターカーテンが挿通されるスリット状の開口部が形成されており、この開口部の周縁部にまぐさが取り付けられている。
【００５４】
シャッターカーテン３の下端の座板３Ａ等を手等による手動で押し上げると、シャッターカーテン３は巻取軸６に巻き取られて上方へ開き移動し、座板３Ａ等を押し下げると、シャッターカーテン３は巻取軸６から繰り出されて下方へ閉じ移動する。また、巻取軸６の内部には、シャッターカーテン３が巻取軸６から繰り出されるときに戻しばね力が蓄圧されるねじりコイルばねによる戻しばねが収納されており、このため、シャッターカーテン３が巻取軸６に巻き取られて上方へ開き移動することは、この戻しばねの戻しばね力によって補助されて行われる。
【００５５】
左右一対の支持用ブラケット７，８による巻取軸６の支持は、巻取軸６の軸方向両端の端部となっている軸部６Ａ，６Ｂが、これらのブラケット７，８に設けられている軸受け部９，１０で支持されることにより行われている。
図２には、支持用ブラケット７，８のうち、一方のブラケット８（図１に示す左側のブラケット８）の軸受け部１０による巻取軸６の軸部６Ｂの支持構造が示されており、他方のブラケット７（図１に示す右側のブラケット７）及び軸受け部９と、この軸受け部９による巻取軸６の軸部６Ａの支持構造は、図２で示されているものと左右対称の同じものになっている。
【００５６】
次に、手動式巻取軸６の構造及び図２の支持構造を説明する。前述したように手動式巻取軸６の内部には、シャッターカーテン３が巻取軸６から繰り出されるときに戻しばね力が蓄圧される戻しばねが収納されているため、図２で示されている軸部６Ｂは、巻取軸６の内部に端部を残して挿入されている非回転軸のこの端部により形成され、この非回転軸との間に軸受け部材が介設されている巻取軸６は、この非回転軸を中心に回転自在となっている。また、この非回転軸又は上記軸部６Ａを形成している別の非回転軸には、巻取軸６の内部に収納されている戻しばねの一端が連結され、戻しばねの他端は巻取軸６に連結されている。このため、上述のように、シャッターカーテン３が巻取軸６から繰り出されるときには、巻取軸６の回転により戻しばねに戻しばね力が蓄圧され、シャッターカーテン３が巻取軸６に巻き取られるときの巻取軸６の回転は、戻しばね力によって補助される。
【００５７】
図２に示されているように、板金製のブラケット８は、ブラケット本体８Ａと、このブラケット本体８Ａの補強のためにも設けられている後端折曲部８Ｂと、上端折曲部８Ｃと、下端折曲部８Ｄとを有するものとなっており、後端折曲部８Ｂが図１で示した建物外壁２にアンカー部材等の結合具で結合されることにより、ブラケット８は建物外壁２に固定されている。そして、ブラケット本体８Ａには、巻取軸６の軸部６Ｂを受けて支持するための上記軸受け部１０が設けられている。なお、後述するように、左右のブラケット７，８の間には、断面形状が略Ｌ字状となった補強部材（左右のブラケット本体７Ａ，８Ａの間隔と同じ長さ寸法を有する長尺の板材）が架設されている。
【００５８】
この軸受け部１０は、板金の折り曲げ品となっている１個の軸受け部材で形成されており、また、軸受け部１０は、軸受け部本体１６と、この軸受け部本体１６におけるブラケット本体８Ａの側から巻取軸６の外径方向に突出しているフランジ部１７とからなる。軸受け部本体１６は、底部１６Ａと、この底部１６Ａの両端から立ち上がった立上部１６Ｂ，１６Ｃとを有するため、上向きに開口したコ字形状となっている。また、フランジ部１７は、軸受け部本体１６の下部から、言い換えると底部１６Ａから下方へ突出する第１突出部１７Ａと、軸受け部本体１６の両側部から、言い換えると立上部１６Ｂ，１６Ｃから水平方向又は略水平方向に突出する２個の第２突出部１７Ｂ，１７Ｃとからなり、これらの第１及び第２突出部１７Ａ〜１７Ｃがブラケット本体８Ａに溶接又はリベット等の結合具で結合されることにより、上記軸受け部材によって形成されている軸受け部１０が支持用ブラケット８に設けられていることになる。
【００５９】
図３に示されているように、軸受け部本体１６の立上部１６Ｂ，１６Ｃと巻取軸６の軸部６Ｂには、孔１１〜１３が形成され、軸部６Ｂを軸受け部本体１６に挿入した後に、これらの孔１１〜１３にボルト１４を挿入し、立上部１６Ｃの孔１３から突出したボルト１４の軸端にナット１５を螺合することにより、手動式巻取軸６の端部を形成している軸部６Ｂは、非回転状態となって軸受け部１０の軸受け部本体１６で支持されることになる。
【００６０】
図４は、窓用手動式シャッター装置を窓用電動式シャッター装置に改修するために、手動式巻取軸６から交換される電動式巻取軸２０を示している。本発明の一実施形態に係る巻取軸となっているこの電動式巻取軸２０における支持用ブラケット８の側の端部２０Ｂの内部には、後述する本発明の一実施形態に係る開閉体となっている電動用シャッターカーテン３１を開閉移動させる開閉機２１が収納されている。この開閉機２１は、電動モータ２１Ｃと、この電動モータ２１Ｃを制動するためのブレーキ２１Ｄと、これら電動モータ２１Ｃの駆動制御とブレーキ２１Ｄのオン、オフの電気的制御を行う制御装置２１Ｂと、を含んで構成されている。
【００６１】
本実施形態における電気コードである電源コード（言い換えると電源線）（アース線を含んでいてもよく、含んでいなくてもよい）３９は、開閉機２１を構成する上述した各装置に接続され、これらの装置に電源を供給するためのものとなっている。図４に示されているように、開閉機２１から延びている電源コード３９は、電動式巻取軸２０における軸方向の両端部のうちの一方の端部である支持用ブラケット８側の端部２０Ｂから延びている。
【００６２】
開閉機２１のブレーキ２１Ｄは、後述するように、巻取軸２０が電動モータ２１Ｃの回転駆動力により回転してシャッターカーテン３１が全開位置や全閉位置に達したことが巻取軸２０の図示しない回転数検出センサ等で検出されて、この検出信号が、図示しない信号線を経由して制御装置２１Ｂに入力したときや、電動モータ２１Ｃの回転や停止を操作するための操作装置からの停止信号が前記信号線を経由してこの制御装置２１Ｂに入力したときに、電動モータ２１Ｃの出力部材の回転駆動を停止させて巻取軸２０を回転停止状態とするためのものである。
【００６３】
図４、及びこの図４のＳ１２−Ｓ１２線断面図である図１２に示されているように、開閉機２１には、電動モータ２１Ｃの出力部材の回転駆動により回転するリング状の駆動部材２２が設けられ、この駆動部材２２の円周方向に複数形成されている溝２２Ａに、巻取軸２０の内面に設けられている突起２０Ａが挿入されているため、駆動部材２２と巻取軸２０は、巻取軸２０の回転方向に連結されている。このため、電動モータ２１Ｃの出力部材の回転駆動により駆動部材２２が回転すると、巻取軸２０は回転することになる。また、図４に示されているように、開閉機２１の外周には、巻取軸２０と一体となって回転するリング状の従動部材２３が嵌合され、電動モータ２１Ｃの回転駆動力による巻取軸２０の回転は、この従動部材２３が、巻取軸２０と開閉機２１との間の回転軸受け部材となって行われる。
【００６４】
一方、電動式巻取軸２０における支持用ブラケット７の側の端部の内部には、戻しばねユニット２４が挿入されている。この戻しばねユニット２４は、非回転の中心軸２５と、この中心軸２５に軸受け部材２６で回転自在に配置された２個のホイール部材２７と、これらのホイール部材２７の間に配設されたねじりコイルばねによる２個の戻しばね２８とを含んで構成されている。それぞれのホイール部材２７は巻取軸２０にリベット等で結合され、また、それぞれの戻しばね２８の一端は連結具２９Ａで中心軸２５に連結されているとともに、他端は連結具２９Ｂでそれぞれのホイール部材２７に連結されている。
【００６５】
このため、電動式巻取軸２０に後述する電動用シャッターカーテンの上端が連結された後に、この電動用シャッターカーテンを巻き取っている電動式巻取軸２０が、電動モータ２１Ｃの回転駆動力により非回転の中心軸２５を中心に回転して電動用シャッターカーテンが繰り出されたときには、戻しばね２８に戻しばね力が蓄圧され、この戻しばね力は、電動式巻取軸２０が電動モータ２１Ｃの回転駆動力により逆回転して電動用シャッターカーテンを巻き取るときに、補助力として利用される。
【００６６】
本実施形態では、図４に示されているように、中心軸２５の軸端部２５Ａは巻取軸２０から突出しており、このため、この軸端部２５Ａは、電動式巻取軸２０における支持用ブラケット７の側の端部を形成しており、また、この軸端部２５Ａは、手動式巻取軸６のときにも使用されていたこの支持用ブラケット７の軸受け部９で支持されている。そして、これらの軸端部２５Ａと軸受け部９は、図５及び図６で示されているように、図３及び図４で説明したと同様な構造により、ボルト１４及びナット１５により連結されている。
【００６７】
このため、本実施形態では、電動式巻取軸２０における支持用ブラケット７の側の端部を形成している中心軸２５の軸端部２５Ａを支持するためにも、窓用手動式シャッター装置における既存の支持用ブラケット７と、この支持用ブラケット７のブラケット本体７Ａに設けられている既存の軸受け部９が用いられている。
【００６８】
なお、既存の支持用ブラケット７のブラケット本体７Ａと中心軸２５の軸端部２５Ａとの間に、既存の軸受け部９によって邪魔されないでブラケット本体７Ａと中心軸２５の軸端部２５Ａとを連結するための中間構成体を介入してもよい。
【００６９】
図７には、図２及び図３で説明した支持用ブラケット８に、電動式巻取軸２０における支持用ブラケット８の側の端部２０Ｂを連結支持させるための構造が示されており、図７は、この構造の正面図であり、図８は、この構造の平面図である。電動式巻取軸２０におけるこの支持用ブラケット８の側の端部２０Ｂは、具体的な構造を後述する中間構成体３０により支持用ブラケット８のブラケット本体８Ａに連結支持されている。一層具体的には、電動式巻取軸２０の内部に収納固定されている開閉機２１における支持用ブラケット８の側の端部２１Ａは、この巻取軸２０から露出しており、電動モータ２１Ｃが構成要素となっている開閉機２１のこの端部２１Ａが、中間構成体３０により支持用ブラケット８のブラケット本体８Ａに連結支持されることにより、電動式巻取軸２０における支持用ブラケット８の側の端部２０Ｂと、支持用ブラケット８のブラケット本体８Ａとが、開閉機２１及び中間構成体３０を介して連結支持されている。
【００７０】
したがって、前述した手動式巻取軸６から電動式巻取軸２０に改修された後でも、既存の支持用ブラケット８がそのまま用いられており、また、この支持用ブラケット８に設けられている図２及び図３で示した軸受け部１０はそのまま残されている。そして、開閉機２１と支持用ブラケット８のブラケット本体８Ａとを連結するための中間構成体３０は、後述の説明から分かるように、軸受け部１０に邪魔されずに開閉機２１と支持用ブラケット８のブラケット本体８Ａとの間に介入されている。
【００７１】
図９には、手動式巻取軸６から電動式巻取軸２０に改修された後の窓用電動式シャッター装置の正面図が示されており、本実施形態では、手動式巻取軸６から電動式巻取軸２０に改修されるときに、図１で示した手動用シャッターカーテン３は図９で示した電動用シャッターカーテン３１に改修されている。電動式巻取軸２０に上端が連結されているこの電動用シャッターカーテン３１の左右両端部は、図１で示した左右一対のガイドレール４に上下スライド自在に挿入され、このシャッターカーテン３１は、電動式巻取軸２０による巻き取り、繰り出しにより、これらのガイドレール４で案内されて上下方向に開閉移動する。このため、ガイドレール４は、シャッターカーテン３１に対して不動となっている不動部材であり、シャッターカーテン３１の幅方向である左右方向の両端部がスライド自在に挿入され、このシャッターカーテン３１の開閉移動を案内するための一対のガイド部材となっている。なお、シャッターカーテン３１の全体は、座板等の付属的部材を除き、多数のスラット３２を上下に連設することにより形成されている。
【００７２】
図１０は、図９のＳ１０−Ｓ１０線断面図であり、この図１０に示されているように、それぞれのスラット３２の上下両端にはカール部３３が形成され、上側のスラット３２Ａの下端カール部３３Ａと、下側のスラット３２Ｂの上端カール部３３Ｂとが係合することにより、これらのスラット３２Ａ，３２Ｂは回動自在に連結されている。そして、それぞれのカール部３３は左右方向へ同一断面形状が連続するものとなっているため、左右一対のガイドレール４から外れた箇所では、すなわち、図９で示されているシャッターケース５の内部の箇所では、それぞれのスラット３２は左右方向にスライドするおそれのある状態になっている。
【００７３】
なお、図１で示した手動用シャッターカーテン３の少なくとも一部が、複数のスラットの連設で形成されているときには、本実施形態に係る上述の中間構成体３０は、手動式巻取軸６から電動式巻取軸２０に改修された後にこの手動用シャッターカーテン３を電動用シャッターカーテンとして用いる場合にも、適用することができる。
【００７４】
すなわち、少なくとも一部がスラットの連設で形成されている既存の手動用シャッターカーテン３を電動用シャッターカーテンとして用いる場合にも、本実施形態に係る中間構成体３０は適用することができる。
【００７５】
図４に示されているように、開閉機２１からはワイヤー等による紐状部材３５が延びており、この紐状部材３５は、中空部材となっている前述の中心軸２５の一方の端部からこの中心軸２５の内部に挿通されている。
【００７６】
そして、この紐状部材３５は、電動モータ２１Ｃと共に開閉機２１の構成要素となっている前述のブレーキ２１Ｄを、電動式巻取軸２０の回転が停止しているときに、オン、オフ切り替え操作するための切替部材３５となっている。すなわち、ブレーキ２１Ｄがオンとなっているために電動式巻取軸２０の回転が停止している電動用シャッターカーテン３１の全開時や全閉時等において、例えば、停電になった場合に、切替部材３５が１回引っ張り操作されると、ブレーキ２１Ｄはオフとなるため、巻取軸が手動式巻取軸６から電動式巻取軸２０に改修されていても、この電動式巻取軸２０は自由回転可能状態となり、このため、電動用シャッターカーテン３１を手動により開閉移動させることができる。また、切替部材３５がもう１回引っ張り操作されると、ブレーキ２１Ｄはオンとなるため、開閉機２１は上述の引っ張り操作前の状態に戻り、電動式巻取軸２０は自由回転不能状態となって、電動用シャッターカーテン３１を手動により開閉移動させることはできなくなる。
【００７７】
図５及び図６から分かるように、軸受け部９は、軸受け部１０と同様に、軸受け部本体１８と、この軸受け部本体１８におけるブラケット本体７Ａの側から巻取軸２０の外径方向に突出しているフランジ部１９とからなる。軸受け部本体１８は、底部１８Ａと、この底部１８Ａの両端から立ち上がった立上部１８Ｂ，１８Ｃとを有するため、上向きに開口したコ字形状となっている。また、フランジ部１９は、軸受け部本体１８の下部から、言い換えると底部１８Ａから下方へ突出する第１突出部１９Ａと、軸受け部本体１８の両側部から、言い換えると立上部１８Ｂ，１８Ｃから水平方向又は略水平方向に突出する２個の第２突出部１９Ｂ，１９Ｃとからなり、これらの第１及び第２突出部１９Ａ〜１９Ｃがブラケット本体７Ａに溶接又はリベット等の結合具で結合されることにより、上記軸受け部材によって形成されている軸受け部９が支持用ブラケット７に設けられていることになる。
【００７８】
図１１は、図４で示されているシャッターケース５、左右の支持用ブラケット７，８等の部分拡大断面図である。この図１１に示すように、支持用ブラケット８のブラケット本体８Ａには、電源コード３９が挿通される円形状又は略円形状の孔８Ｅが形成されており、また、シャッターケース５の左側面部を構成する蓋部材５Ｃにおける前記孔８Ｅと対向する位置には、この孔８Ｅと同じ又は略同じ直径寸法を有する孔５Ｊが形成されている。
【００７９】
さらに、蓋部材５Ｃにおける孔５Ｊよりも下側の位置（シャッターカーテン３１の閉じ移動方向に離間した位置）であってこの孔５Ｊよりもシャッターケース５の正面部側（建物外壁２から遠ざかる側）の位置にも、すなわち、蓋部材５Ｃにおける孔５Ｊの手前斜め下の位置にも、電源コード３９が挿通される円形状又は略円形状の孔５Ｋ（図４に示す蓋部材５Ｃを簡略化して示した斜視図である図１６（支持用ブラケット８等の表示は省略）も参照）が形成されており、ブラケット本体８Ａにおける前記孔５Ｋと対向する位置には、この孔５Ｋと同じ又は略同じ直径寸法を有する孔８Ｆが形成されている。
【００８０】
また、さらに、ブラケット７Ａにおけるブラケット８Ａの前記孔８Ｆと対向する位置にも、電源コード３９が挿通される孔７Ｆが形成され、蓋部材５Ｂにおけるブラケット７Ａの前記孔７Ｆと対向する位置にも、電源コード３９が挿通される孔５Ｈが形成されている。
【００８１】
したがって、蓋部材５Ｃの孔５Ｋの中心位置と、ブラケット本体８Ａの孔８Ｆの中心位置と、ブラケット本体７Ａの孔７Ｆの中心位置と、蓋部材５Ｂの孔５Ｈの中心位置は、一致又は略一致している。
【００８２】
なお、図１１に示すように、蓋部材５Ｃには、この蓋部材５Ｃから一旦外部に露出された電源コード３９の部分３９Ａを外部から保護するための下向きに開口したキャップ部材４０が取り付けられている。このキャップ部材４０は、上面部と左右の側面部と正面部からなる本体４０Ａと、背面部を構成し、ビス等の止着具により蓋部材５Ｃに取り付けられる取付部材４０Ｂと、を含んで構成されており、蓋部材５Ｃに取り付けられた取付部材４０Ｂの外周部に本体４０Ａが嵌合することでキャップ部材４０が形成される。
【００８３】
また、これと同様に、蓋部材５Ｂにも、この蓋部材５Ｂから外部に露出された電源コード３９の部分３９Ｂを外部から保護するための下向きに開口したキャップ部材３７が取り付けられている。このキャップ部材３７も、上面部と左右の側面部と正面部からなる本体３７Ａと、背面部を構成し、ビス等の止着具により蓋部材５Ｂに取り付けられる取付部材３７Ｂと、を含んで構成されており、蓋部材５Ｂに取り付けられた取付部材３７Ｂの外周部に本体３７Ａが嵌合することでキャップ部材３７が形成される。
【００８４】
そして、蓋部材５Ｂの孔５Ｈから外部に露出された電源コード３９は、この後、建物外壁２に形成された図示しない孔に挿通されて建物内部に通されるが、蓋部材５Ｂの孔５Ｈから外部に露出された電源コード３９のうち、建物外壁２に形成された図示しない前記孔に挿通される手前の部分３９Ｄは、キャップ部材４４により外部から保護される。このキャップ部材４４も、上述したキャップ部材３７，４０と同様の形状、構造を有しており，上面部と左右の側面部と正面部からなる本体４４Ａと、背面部を構成し、ビス等の止着具により建物外壁２に取り付けられる取付部材４４Ｂと、を含んで構成されており、建物外壁２に取り付けられた取付部材４４Ｂの外周部に本体４４Ａが嵌合することでキャップ部材４４が形成される。
【００８５】
なお、図１１に示すように、キャップ部材３７，４０，４４の取付部材３７Ｂ，４０Ｂ，４４Ｂにも、電源コード３９が挿通されるものとなっており、これらの取付部材３７Ｂ，４０Ｂ，４４Ｂには、電源コード３９が挿通される孔３７Ｄ，４０Ｄ，４４Ｅが形成されている。
【００８６】
また、図１１に示すように、電源コード３９は、蓋部材５Ｂに取り付けられたキャップ部材３７の下端から、建物外壁２に取り付けられたキャップ部材４４の下端までは、Ｕ字状に垂下した状態で外部に露出されることになるため、この露出した部分３９Ｃは、可撓性を有するプラスチック製等の管部材４８の内部に挿通されて外部から保護されるようになっている。この管部材４８の一方の端部は、キャップ部材３７の下端を塞ぐための蓋部材３７Ｃに形成された孔３７Ｅに嵌合されるとともに、他方の端部は、キャップ部材４４の下端を塞ぐための蓋部材４４Ｃに形成された孔４４Ｅに嵌合される。
【００８７】
図４と、この図４のＳ１２−Ｓ１２線断面図である図１２から分かるように、左右のブラケット７，８の間には、垂直方向（上下方向）の断面形状が略Ｌ字状となった４個の補強部材９１（左右のブラケット本体７Ａ，８Ａの間隔と同じ長さ寸法を有する長尺の板材）が水平に架設されている。そして、これら４個の補強部材９１は、ブラケット本体７Ａの四隅又はその近傍と、ブラケット本体８Ａの四隅又はその近傍（言い換えると、ブラケット本体８Ａにおけるブラケット本体７Ａの四隅又はその近傍と対向する位置）との間に架設されている。
【００８８】
図１２に示すように、４個の補強部材９１のうち、上の２個の補強部材９１における長手方向の両端部のうちの一方の端部は、ブラケット本体７Ａの上端折曲部７Ｃにビス等の止着具９２で止着されており、下の２個の補強部材９１における長手方向の両端部のうちの一方の端部は、ブラケット本体７Ａの下端折曲部７Ｄにビス等の止着具９２で止着されている。図示されていないが、４個の補強部材９１のうち、上の２個の補強部材９１における長手方向の両端部のうちの他方の端部は、ブラケット本体８Ａの上端折曲部８Ｃにビス等の止着具９２で止着されており、下の２個の補強部材９１における長手方向の両端部のうちの他方の端部は、ブラケット本体８Ａの下端折曲部８Ｄにビス等の止着具９２で止着されている。
【００８９】
なお、図１２に示すように、ブラケット本体７Ａの後端屈曲部７Ｂは、建物外壁２にビス等の止着具９３で止着されており、図示されていないが、ブラケット本体８Ａの後端屈曲部８Ｂも、建物外壁２にビス等の止着具９３で止着されている。また、図１２に示すように、シャッターケース５の本体５Ａの上面部５Ｐの後端屈曲部５Ｑは、建物外壁２にビス等の止着具９４で止着されている。
【００９０】
また、図１２に示すように、シャッターケース５の底面部を構成する蓋部材５Ｄは、シャッターケース５の本体５Ａやブラケット本体７Ａの下端折曲部７Ｄに、ビス等の止着具９５，９６で止着されており、図示されていないが、蓋部材５Ｄは、シャッターケース５の本体５Ａやブラケット本体８Ａの下端折曲部８Ｄにも、ビス等の止着具９５，９６で止着されている。
【００９１】
図１１及び図１２に示されているように、ブラケット本体８Ａとブラケット本体７Ａとの間の空間には、ブラケット本体８Ａの孔８Ｆに挿通された電源コード３９が、ブラケット本体８Ａとブラケット本体７Ａとの間の空間を経由した後、言い換えると、ブラケット本体８Ａからブラケット本体７Ａまで延びた後、ブラケット本体７Ａの孔７Ｆに挿通されるようにするための案内部材９０が配置されている。
【００９２】
図１１に示すように、案内部材９０は、左右のブラケット本体７Ａ，８Ａの間隔よりも大きい長さ寸法を有し、電源コード３９が通過するのに十分な内径寸法を有する管部材となっている。そして、この案内部材９０は、両端部のうちの一方の端部の近傍から横方向（水平方向）から下方向（鉛直方向）へ屈曲する第１屈曲部９０Ｂと、下方向から横方向へ屈曲する第２屈曲部９０Ｃと、両端部のうちの他方の端部の近傍において、横方向から上方向へ屈曲する第３屈曲部９０Ｄと、上方向から横方向へ屈曲する第４屈曲部９０Ｅと、を有する形状、構造を有している。
【００９３】
案内部材９０の両端部のうちの一方の端部である左端部は、この左端部の開口部の中心位置がブラケット本体８Ａの孔８Ｆの中心位置と一致又は略一致するように、この孔８Ｆの周縁部に止着具９０Ａで止着されており、他方の端部である右端部も、この右端部の開口部の中心位置がブラケット本体７Ａの孔７Ｆの中心位置と一致又は略一致するように、この孔７Ｆの周縁部に止着具９０Ａで止着されている。
【００９４】
そして、案内部材９０の両端部がブラケット本体７Ａ，８Ａに止着された状態において、この案内部材９０における第２屈曲部９０Ｃ水平部から第３屈曲部９０Ｄの水平部まで水平に延びている部分９０Ｆは、図１２に示すように、補強部材９１の底部９１Ａに載置された状態となっている。すなわち、案内部材９０の両端部がブラケット本体７Ａ，８Ａに止着された状態においては、この案内部材９０における水平に延びている部分９０Ｆは、宙吊り状態になっておらず、補強部材９１により上向きに支持された状態となっている。
【００９５】
このように、本実施形態では、開閉機２１から延びる電源コード３９は、まず、ブラケット本体８Ａの孔８Ｅと、蓋部材５Ｃの孔５Ｇと、この蓋部材５Ｃに取り付けられたキャップ部材４０の取付部材４０Ｂの孔４０Ｃと、に挿通されて一旦外部に露出される。この後、電源コード３９は、前記取付部材４０Ｂの孔４０Ｄと、蓋部材５Ｃの孔５Ｋと、ブラケット本体８Ａの孔８Ｆと、に挿通され、ブラケット本体８Ａとブラケット本体７Ａとの間に配置されている案内部材９０の内部を経由した後、ブラケット本体７Ａの孔７Ｆと、蓋部材５Ｂの孔５Ｈと、この蓋部材５Ｂに取り付けられたキャップ部材３７の取付部材３７Ｂの孔３７Ｄと、に挿通されて一旦外部に露出される。さらに、電源コード３９は、この後、シャッターケース５の後方に存在する建物外壁２に取り付けられたキャップ部材４４の取付部材４４Ｂの孔４４Ｄと、建物外壁２の図示しない孔とに挿通された後、建物内部の部屋に通され、最終的に、電源コード３９の終端部（電源プラグの部分）が部屋内部に配置されている電源コンセント４９（図９参照）に接続された配線構造となっている。
【００９６】
このため、本実施形態では、図１１に示されているように、開閉機２１から延びる電源コード３９は、建物内部の電源コンセント４９に至るまで、外部に露出することなく配線される構造となっている。
【００９７】
なお、キャップ部材３７，４０，４４の構造は、取付部材３７Ｂ，４０Ｂ，４４Ｂを有するものではなく、本体３７Ａ，４０Ａ，４４Ａが蓋部材５Ｂ，５Ｃ、建物外壁２に直接取り付けられる構造となっているものでもよい。
【００９８】
なお、電源コンセント４９は、屋外に配置されるものでよい。この場合には、電源コンセント４９は、図１１に示すキャップ部材４４等により外部から保護されるようにすることが好ましい。
【００９９】
図１３及び図１４は、図７のＳ１３−Ｓ１３線及びＳ１４−Ｓ１４線での断面図である。図１３で示されている電源コード３９を通すために支持用ブラケット８のブラケット本体８Ａに形成されている上記孔８Ｅは、図１４に示されているように、ブラケット本体８Ａにおける電源コード３９が軸受け部１０に邪魔されない箇所となっているため、電源コード３９は、この軸受け部１０と干渉することなく、すなわち、軸受け部１０に邪魔されることなく配線されている。
【０１００】
また、図５及び図６から分かるように、支持用ブラケット７のブラケット本体７Ａにおける軸受け部本体１８の底部１８Ａと立上部１８Ｂ，１８Ｃとで囲まれた箇所のうち、電動式巻取軸２０の延長軸線と一致又は略一致している箇所には、円形状又は略円形状の孔７Ｅが形成されている。
【０１０１】
この支持用ブラケット７は、上述した中間構成体３０が設けられている、あるいは設けられていない支持用ブラケット８とは電動式巻取軸２０の軸方向の反対側に配置されている支持用ブラケットであり、この支持用ブラケット７に孔７Ｅが形成されている箇所は、支持用ブラケット７のブラケット本体７Ａに設けられている前述の軸受け部９に邪魔されない箇所となっている。中心軸２５の内部に挿通されてさらにこの中心軸２５の他方の端部から突出した切替部材３５は、孔７Ｅに通されているため、切替部材３５は、軸受け部９と干渉することなく、言い換えると、軸受け部９に邪魔されることなく配線されている。
【０１０２】
図４に示すように、シャッターケース５の右側面部を構成する蓋部材５Ｂにおけるブラケット本体７Ａの孔７Ｅと対面する位置には、この孔７Ｅと同じ又は略同じ直径寸法を有する孔５Ｆが形成されている。この孔５Ｆの中心位置は、孔７Ｅの中心位置と一致又は略一致しており、また、孔５Ｆの直径寸法は、孔７Ｅの直径寸法と同じ又は略同じとなっている。また、図４に示す蓋部材５Ｂを簡略化して示した斜視図である図１８（支持用ブラケット７等の表示は省略）にも示されているように、蓋部材５Ｂにおける孔５Ｆからシャッターカーテン３１の閉じ移動方向である下方向に離間した箇所には、孔５Ｇが形成されている。なお、孔５Ｇの直径寸法は、図１８に示されているように孔５Ｆの直径寸法よりも小さくなっていてもよく、孔５Ｆの直径寸法と同じ又は略同じとなっていてもよい。
【０１０３】
切替部材３５は、上述したようにブラケット本体７Ａの孔７Ｅと蓋部材５Ｂの孔５Ｆとに挿通されて蓋部材５Ｂの外部に突出された後、この蓋部材５Ｂの孔５Ｇに挿通されている。そして、この孔５Ｇに挿通された切替部材３５は、図４に示すように、ブラケット本体７Ａと蓋部材５Ｂとの間に形成された隙間部Ｓ１を通過した後、図４及び図１９に示すように、蓋部材５Ｂの底面部（下面部）５Ｅに形成されたシャッターカーテン３１の厚さ方向である前後方向に長い開口部５Ｉから露出（突出）される。これ以後の切替部材３５の配線状態は、切替部材３５の終端部が、左右一対のガイドレール４のうちの一方に配置された図９に示す引張操作部材３８に連結されるものとなる。このため、この引張操作部材３８を引っ張り操作することにより、切替部材３５を介して開閉機２１のブレーキ２１Ｄがオン、オフ切り替えることになる。
【０１０４】
本実施形態では、開閉機２１から延びる電源コード３９の配線作業は、巻取軸２０の軸方向の両端部を軸受け部９，１０に支持させる作業の際に行われるが、この電源コード３９の終端部を、ブラケット本体８Ａの孔８Ｅと蓋部材５Ｃの孔５Ｊとに挿通した後、直ちに（直接的に）蓋部材５Ｃの孔５Ｋとブラケット本体８Ａの孔８Ｆに挿通するものではなく、図１５及び図１６（キャップ部材４０の取付部材４０Ｂや支持用ブラケット８等の表示は省略）に示されているように、電源コード３９を、ブラケット本体８Ａの孔８Ｅと蓋部材５Ｃの孔５Ｊとに挿通してシャッターケース５の蓋部材５Ｃの外部に一旦突出（露出）させるものとなっている。なお、この後の配線作業を考慮して、蓋部材５Ｃの外部に一旦突出させる電源コード３９の突出量は、できるだけ大きい（多い）ほうが好ましい。すなわち、電源コード３９は、蓋部材５Ｃの外部に突出させるだけ突出させることが好ましい。
【０１０５】
また、開閉機２１から延びる切替部材３５の配線作業も、電源コード３９と同様に、巻取軸２０の軸方向の両端部を軸受け部９，１０に支持させる作業の際に行われる。このとき、切替部材３５の終端部を、ブラケット本体７Ａの孔７Ｅと蓋部材５Ｂの孔５Ｆとに挿通した後、直ちに（直接的に）蓋部材５Ｂの孔５Ｇに挿通するものではなく、図１５及び図１８（キャップ部材３７の取付部材３７Ｂや支持用ブラケット７等の表示は省略）に示されているように、切替部材３５をブラケット本体７Ａの孔７Ｅと蓋部材５Ｂの孔５Ｆとに挿通してシャッターケース５の蓋部材５Ｂの外部に一旦突出（露出）させるものとなっている。なお、上述した電源コード３９の場合と同様に、この後の配線作業を考慮して、蓋部材５Ｂの外部に一旦突出させる切替部材３５の突出量は、できるだけ大きい（多い）ほうが好ましい。すなわち、切替部材３５は、蓋部材５Ｂの外部に突出させるだけ突出させることが好ましい。
【０１０６】
巻取軸２０の軸方向の両端部を軸受け部９，１０に支持させる作業と、上述したように、電源コード３９と切替部材３５をシャッターケース５の蓋部材５Ｃ，５Ｂから一旦突出させる作業が終了した後は、以下の配線作業を行う。
【０１０７】
図１６及び図１７（キャップ部材４０の取付部材４０Ｂや支持用ブラケット８等の表示は省略）から分かるように、蓋部材５Ｃから突出している電源コード３９の終端部を、蓋部材５Ｃの孔５Ｋとブラケット本体８Ａの孔８Ｆとに挿通した後、この電源コード３９をシャッターケース５の内部へ順次送り出していく。これにより、電源コード３９は、ブラケット本体７Ａとブラケット本体８Ａとの間に配置されている図１１に示す案内部材９０に案内されながら、ブラケット本体７Ａの孔７Ｆに挿通された後、図１９に示すように、蓋部材５Ｂの孔５Ｈにも挿通されて蓋部材５Ｂの外部に突出することになる。このように、本実施形態に係る電気コード３９の配線方法では、電気コード３９を、シャッターケース５の内部におけるこのシャッターケース５の幅方向の両端部のうちの一方の端部（左端部）から他方の端部（右端部）まで延ばして配線する作業工程が含まれている。
【０１０８】
この後、蓋部材５Ｂの外部に突出した電源コード３９を順次引っ張り出すとともに、この引っ張り出した電源コード３９を図１１に示す管部材４８の内部に通す。なお、この管部材４８の一方の端部（図１１では左端部）は、キャップ部材３７の下端を塞ぐ蓋部材３７Ｃの孔３７Ｅに予め嵌合させておくとともに、他方の端部（図１１では右端部）は、キャップ部材４４の下端を塞ぐ蓋部材４４Ｃの孔４４Ｅに予め嵌合させておく。
【０１０９】
そして、電源コード３９の終端部を、図１１に示すキャップ部材４４の取付部材４４Ｂの孔４４Ｄと、建物外壁２の図示しない孔と、図示しない建物内壁の図示しない孔とに挿通するとともに、この電源コード３９を建物の室内側へ送り出す。この後、建物の室内側へ送り出された電源コード３９の終端部である電源プラグを、図９に示す電源コンセント４９に差し込む。
【０１１０】
また、上述した電源コード３９の配線作業と並行して（言い換えると、同時に）、あるいは、上述した電源コード３９の配線作業の後、図１８及び図１９（キャップ部材３７の取付部材３７Ｂや支持用ブラケット７等の表示は省略）から分かるように、蓋部材５Ｂから突出している切替部材３５の終端部を蓋部材５Ｂの孔５Ｇに挿通し、この蓋部材５Ｂから突出している切替部材３５を、ブラケット本体７Ａと蓋部材５Ｂとの間に形成された図４に示す前記隙間部Ｓ１を通過させ、蓋部材５Ｂの前記下面部（底面部）５Ｅに形成されたシャッターカーテン３１の厚さ方向である前後方向に長い前記開口部５Ｉから露出（突出）させる。これ以後の切替部材３５の配線作業は、前述したように、切替部材３５の終端部を、左右一対のガイドレール４Ａ，４Ｂのうちの一方（図９に示す右側のガイドレール４Ｂ）に配置された引張操作部材３８に連結させるものとなる。
【０１１１】
なお、電源コード３９と切替部材３５の上記配線作業が終了した後は、電源コード３９のうちの蓋部材５Ｃから露出している部分３９Ａ（図４、図１１、図１７参照）を覆うためのカバー部材である下向きに開口した図４や図１１に示すキャップ部材４０の本体４０Ａを、蓋部材５Ｃに取り付けられた取付部材４０Ｂの外周部のうちの上辺部と左右の側辺部に嵌合させる。また、切替部材３５のうちの蓋部材５Ｂから露出している部分３５Ａ（図４、図１９参照）と、電源コード３９のうちの蓋部材５Ｂから露出している部分３９Ｂ（図４、図１１、図１９参照）を覆うためのカバー部材である下向きに開口した図４や図１１に示すキャップ部材３７の本体３７Ａを、蓋部材５Ｂに取り付けられた取付部材３７Ｂの外周部のうちの上辺部と左右の側辺部に嵌合させる。さらに、電源コード３９のうちの建物外壁２から露出している部分３９Ｄ（図４、図１１参照）を覆うためのカバー部材である下向きに開口した図４や図１１に示すキャップ部材４４の本体４４Ａを、建物外壁２に取り付けられた取付部材４４Ｂの外周部のうちの上辺部と左右の側辺部に嵌合させる。
【０１１２】
そして、この後、図１１に示すように、孔３７Ｅに管部材４８の一方の端部（図１１では左端部）が嵌合されている蓋部材３７Ｃを、キャップ部材３７の本体３７Ａの下端に取り付けるとともに、孔４４Ｅに管部材４８の他方の端部（図１１では右端部）が嵌合されている蓋部材４４Ｃを、キャップ部材４４の本体４４Ａの下端に取り付ける。
【０１１３】
なお、本実施形態において、ワイヤー等で形成されている切替部材３５の外側は、中空部材で覆うようにしてもよい。言い換えると、切替部材３５はインナーワイヤーとし、この切替部材３５の外側はアウターワイヤーで覆うようにしてもよい。
【０１１４】
なお、図４や図１１に示すように、円形又は略円形となっている蓋部材５Ｃの孔５Ｊの直径寸法は、円形又は略円形となっているブラケット本体８Ａの孔８Ｅの直径寸法と同じ又は略同じとなっているが、蓋部材５Ｃの孔５Ｊの直径寸法は、ブラケット本体８Ａの孔８Ｅの直径寸法よりも大きくするようにしてもよい。
【０１１５】
作業者は、電源コード３９をブラケット本体８Ａの孔８Ｅに挿通した後、さらに蓋部材５Ｃの孔５Ｊに挿通することになるが、この電源コード３９の挿通作業は、巻取軸２０を支持用ブラケット７，８に支持させる作業と同時に行うため、ブラケット本体８Ａの孔８Ｅの後方にある蓋部材５Ｃの孔５Ｊは見えにくく、ブラケット本体８Ａの孔８Ｅに挿通した電源コード３９の終端部を、蓋部材５Ｃの孔５Ｊに目がけて挿通することは容易ではない。
【０１１６】
しかし、蓋部材５Ｃの孔５Ｊの直径寸法をブラケット本体８Ａの孔８Ｅの直径寸法よりも大きくすることにより、ブラケット本体８Ａの孔８Ｅに挿通した電源コード３９の終端部を蓋部材５Ｃの孔５Ｊに目がけて挿通する必要はほとんどなくなる。すなわち、ブラケット本体８Ａの孔８Ｅに挿通した電源コード３９の終端部を蓋部材５Ｃの側の方向へ送り出すだけで、この電源コード３９の終端部を蓋部材５Ｃの孔５Ｊに容易に挿通させることが可能となる。
【０１１７】
また、図４に示すように、円形又は略円形となっている蓋部材５Ｂの孔５Ｆの直径寸法も、円形又は略円形となっているブラケット本体７Ａの孔７Ｅの直径寸法と同じ又は略同じとなっているが、上述したのと同様の理由により、蓋部材５Ｂの孔５Ｆの直径寸法は、ブラケット本体７の孔７Ｅの直径寸法よりも大きくするようにしてもよい。
【０１１８】
これによると、ブラケット本体７Ａの孔７Ｅに挿通した切替部材３５の終端部を蓋部材５Ｂの側の方向へ送り出すだけで、この切替部材３５の終端部を蓋部材５Ｂの孔５Ｆに容易に挿通させることが可能となる。
【０１１９】
なお、図面では示されていないが、手動式巻取軸６から電動式巻取軸２０に改修するときには、電動用シャッターカーテン３１を遠隔操作により開き移動、閉じ移動、移動停止させることができるようにするために、本実施形態に係る電動式窓用シャッター装置には、電動式巻取軸２０を正回転、逆回転、回転停止させるための「開」、「閉」、「停」のそれぞれのボタンが設けられている開閉機操作部である操作装置が追加される。
【０１２０】
この操作装置は、電源コード３９と同様に電気コードである図示されない前記信号コード（信号線）によって、開閉機２１の電動モータ２１Ｃの駆動制御やブレーキ２１Ｄの動作制御をするための上述した制御装置２１Ｂと接続されているもの（有線方式で接続されるもの）であるが、操作装置は、制御装置２１Ｂと無線方式で接続されるものとしてもよい。なお、前記信号コードの配線構造は、図４に示す電源コード３９の配線構造と同じとなっていてもよく、異なっていてもよい。
【０１２１】
図２０は、切替部材３５を、支持用ブラケット７のブラケット本体７Ａの孔７Ｅと、蓋部材５ＣＢの孔５Ｆ，５Ｇとに通すことに関する別実施形態を示している。
【０１２２】
図２０の実施形態では、金属製のブラケット本体７Ａの孔７Ｅに、このブラケット本体７Ａの材料である金属よりも軟質のゴムや合成樹脂等の材料で形成された短寸の案内部材８３を嵌入し、金属性の蓋部材５Ｂの孔５Ｆ，５Ｇにも、前記案内部材８３を嵌入し、これらの案内部材８３の内部孔８３Ａに切替部材３５を挿通している。
【０１２３】
これによると、切替部材３５をブラケット本体７Ａの孔７Ｅと、蓋部材５Ｂの孔５Ｆ，５Ｇとに挿通するときに、切替部材３５がこれらの孔７Ｅ，５Ｆ，５Ｇで擦れて損傷することを、案内部材８３により防止することができる。また、ブラケット本体７Ａの孔７Ｅと、蓋部材５Ｂの孔５Ｆ，５Ｇとに挿通された切替部材３５が、開閉機２１のブレーキ２１Ｄをオン、オフ切り替え操作するために引っ張り操作されるときに、切替部材３５がこれらの孔７Ｅ，５Ｆ，５Ｇで擦れて損傷することを、案内部材８３により防止することができる。
【０１２４】
図２１は、図２０に示す案内部材８３とは異なる別実施形態に係る案内部材８６を蓋部材５Ｂの孔５Ｆに嵌入している作業状態を示す斜視図である。
【０１２５】
案内部材８６は、ブラケット本体７Ａ，８Ａや蓋部材５Ｂ，５Ｃよりも軟質の材料である軟質のゴムや合成樹脂等の材料で形成されており、長手方向全長に渡って開口した部分８６Ａを有する断面略コ字状となっている。また、この案内部材８６の長さ寸法はＬとなっており、この長さ寸法Ｌは、蓋部材５Ｂの孔５Ｆの周寸法と同じ又は略同じとなっている。
【０１２６】
前述した図２０に示す案内部材８３と同様に、この案内部材８６の設置は、蓋部材５Ｂの孔５Ｆに嵌入することにより行われる。すなわち、図２１に示すように、案内部材８６の設置作業は、案内部材８６の長手方向の両端部８６Ｃ，８６Ｄのうちの一方の端部８６Ｃの開口した部分８６Ａから孔５Ｆの縁部５Ｎに沿って嵌入し、案内部材８６の長手方向の他方の端部８６Ｄの開口した部分８６Ａが孔５Ｆの縁部５Ｎに嵌入した時点で終了する。上述したように、案内部材８６の長さ寸法Ｌは孔５Ｆの周寸法と同じ又は略同じとなっているため、案内部材８６の長手方向の他方の端部８６Ｄの開口した部分８６Ａが孔５Ｆの縁部５Ｎに嵌入したとき、案内部材８６の長手方向の両端部８６Ｃ，８６Ｄの端面同士が接触した状態又は略接触した状態となる。これにより、孔５Ｆの内周面（孔５Ｆの縁部５Ｎを含む）は、軟質の材料で形成された案内部材８６によって覆われた状態となる。
【０１２７】
なお、案内部材８６の設置作業は、案内部材８６の長手方向の両端部８６Ｃ，８６Ｄの端面同士を、開口した部分８６Ａが外向き（言い換えると、底部８６Ｂが内向き）となるように接着し、この案内部材８６を環状（リング状）とした後、この環状となった案内部材８６を変形させながら、開口した部分８６Ａを蓋部材５Ｂの孔５Ｆの縁部５Ｎに嵌入するようにしてもよい。
【０１２８】
なお、電源コード３９が挿通される各孔（支持用ブラケット７のブラケット本体７Ａの孔８Ｅ，８Ｆ、蓋部材５Ｃの孔５Ｇ，５Ｋ、支持用ブラケット７のブラケット本体７Ａの孔７Ｆ、蓋部材５Ｂの孔５Ｈ、キャップ部材３７，４０，４４の取付部材３７Ｂ，４０Ｂ，４４Ｂの孔３７Ｄ，４０Ｄ，４４Ｄ）にも、上記案内部材８３，８６（長さ寸法Ｌは、各孔の周寸法と同じ又は略同じとなっているもの）を嵌入するようにしてもよい。なお、これらの孔に上述した案内部材８３，８６を設けない場合には、各孔の内周面（孔の縁部を含む）を滑面とすることが好ましい。
【０１２９】
次に、電動モータ２１Ｃが構成要素となっている開閉機２１の端部２１Ａと、支持用ブラケット８のブラケット本体８Ａとを連結している中間構成体３０の構造について説明する。
【０１３０】
図７及び図８に示されているように、中間構成体３０は、開閉機２１の側に配設された第１中間物４１と、支持用ブラケット８のブラケット本体８Ａの側に配設された第２中間物４２とからなり、これらの第１及び第２中間物４１，４２が、窓用シャッター装置の正面側（作業者から見て手前側）から工具等で回転させることができるビス等の接続具４３で互いに接続されることにより、開閉機２１の端部２１Ａと支持用ブラケット８のブラケット本体８Ａとが中間構成体３０により連結されている。
【０１３１】
図２２には、第１中間物４１を構成するそれぞれの部材５１，５２が示されており、図２３には、第２中間物４２を構成するそれぞれの部材６１〜６３が示されている。さらに、図２４及び図２５には、第１中間物４１の正面図及び側面図が示されており、図２６及び図２７には、第２中間物４２の正面図及び側面図が示されている。
【０１３２】
図２２に示されているように、開閉機２１の側の第１中間物４１は、板金製の第１部材５１と第２部材５２により形成されている。板金の打ち抜き品である第１部材５１の全体形状は、前後寸法が小さくて上下寸法が大きい幅狭部５１Ａと、前後寸法が大きくて上下寸法が小さい幅広部５１Ｂとからなる略Ｔ字形状であり、幅狭部５１Ａには凹部５３が形成され、幅広部５１Ｂには孔５４が設けられている。また、板金の折り曲げ品である第２部材５２は、上下方向の中央部に舌片部５２Ｃが設けられている全体形状が略Ｍ字状の部材であり、舌片部５２Ｃよりも上下の部分５２Ａ，５２Ｂに孔５５が形成され、舌片部５２Ｃにも孔５６が形成されている。
【０１３３】
図２４及び図２５から分かるように、舌片部５２Ｃが凹部５３の内部に挿入されることにより、第１部材５１と第２部材５２が組み合わせられ、これにより、第１中間物４１が組み立てられた後に、これらの第１部材５１と第２部材５２は溶接により接合される。そして、図１３から分かるように、第１中間物４１は、孔５４，５６に挿入したビス等の止着具５７により、開閉機２１の前述した端部２１Ａの端面に止着される。これにより、図７及び図８に示されているように、第２部材５２は、第１部材５１から支持用ブラケット８のブラケット本体８Ａの側に突出することになる。
【０１３４】
また、図２３に示されているように、支持用ブラケット８のブラケット本体８Ａの側の第２中間物４２は、板金製の第１部材６１と第２部材６２と第３部材６３により形成されており、第２部材６２には、同一寸法及び同一形状のものが上下２個ある。板金の打ち抜き品である第１部材６１の全体形状は円形であり、中央部に大きな四角形の開口部６４が形成されているとともに、この開口部６４のそれぞれの辺部に電動式巻取軸２０の外径方向へ延出する凹部６５が形成され、さらに、４個の凹部６５のうち、前後２個の凹部６５には、前後方向へ延びる細幅状の欠部６６が設けられている。また、第１部材６１には、上下２個の凹部６５よりも外側において、２個の孔６７が設けられているとともに、これらの孔６７よりも前後の箇所であって、第１部材６１の中心部よりも上下の箇所において、合計４個の孔６８が第１部材６１の円周方向に設けられている。
【０１３５】
それぞれ板金の打ち抜き品である２個の第２部材６２は、向きが上下逆となっているだけであって、同じ寸法による同じ形状となっているため、図２３の下側の第２部材６２について説明すると、第２部材６２の全体形状は、第１部材６１の円形の外輪郭部６１Ａのうちの一部と同じ円弧状となっている円弧状輪郭部６２Ａの両端が直線状に延びている直線部６２Ｂで繋がれている略三日月形状となっており、この直線部６２Ｂには、下方へ延出する凹部６９が形成されている。そして、第１部材６１よりも小さい面積を有している第２部材６２の厚さ寸法は、図２及び図３で説明した支持用ブラケット８に設けられている軸受け部１０のフランジ部１７となっている第１及び第２突出部１７Ａ〜１７Ｃの厚さ寸法と対応するものになっており、すなわち、第２部材６２の厚さ寸法と、第１及び第２突出部１７Ａ〜１７Ｃの厚さ寸法は、同じになっている。
【０１３６】
また、図２８及び図２９に示されているように、第２部材６２の凹部６９の形状は、軸受け部１０の第１突出部１７Ａの形状と対応する四角形となっており、このため、凹部６９の前後寸法（図２９では左右寸法）Ｌ１は、第１突出部１７Ａの前後寸法（図２８では左右寸法）Ｌ２と対応しており、これらの寸法Ｌ１，Ｌ２は同じになっている。なお、凹部６９の上下寸法Ｌ３は、第１突出部１７Ａの上下寸法Ｌ４よりも小さくなっている。
【０１３７】
図２３で示す第２中間物４２の第３部材６３は板金の折り曲げ品であり、この第３部材６３の全体形状は、上下方向の寸法を有するウェブ部６３Ａと、このウェブ部６３Ａの上下両端から後方へ延出したフランジ部６３Ｂ，６３Ｃとからなる断面チャンネル形状となっている。また、ウェブ部６３Ａにおける電動式巻取軸２０の軸方向における一方の端部となっているこの巻取軸２０の側の端部には、凹部７０が形成され、この凹部７０の上下に２個のねじ孔７１が形成されている。
【０１３８】
以上の第１〜第３部材６１〜６３により第２中間物４２を組み立てるためには、図２６及び図２７から分かるように、上下２個の第２部材６２を、これらの第２部材６２の向きを上下逆にして、第１部材６１の一方の面、すなわち、第１部材６１における支持用ブラケット８のブラケット本体８Ａの側の面に当てるとともに、これらの第２部材６２の円弧状輪郭部６２Ａを、第１部材６１の外輪郭部６１Ａのうちの上下部分と一致させ、第１部材６１に上下２個の第２部材６２をスポット溶接等で結合する。
【０１３９】
また、第３部材６３を、第１部材６１の大きな開口部６４のうち、作業者から見て手前側の部分に、第２部材６２が結合された第１部材６１の面とは反対側の面から挿入し、これらの第２部材６２と第３部材６３を溶接等で結合する。
【０１４０】
これによって製造された第２中間物４２は、図７及び図８に示されているように、第３部材６３が、第１部材６１及び第２部材６２から電動式巻取軸２０の側へ突出したものとなっている。
【０１４１】
また、図７及び図８で示されている中間構成体３０の一部を構成する構成物となっている第２中間物４２には、図１４に示されているように、支持用ブラケット８の軸受け部１０のうち、軸受け部本体１６を挿入することができる開口部が、この第２中間物４２の第１部材６１の大きな開口部６４により形成されていることになり、さらに、第２中間物４２には、軸受け部１０うち、支持用ブラケット８のブラケット本体８Ａに結合されているフランジ部１７の第１突出部１７Ａを収容可能となったフランジ部収容部７５（図１４及び図２７を参照）が、上下２個の第２部材６２のうち、下側の第２部材６２の凹部６９により形成されていることになる。また、第２中間物４２には、フランジ部１７のうち、２個の第２突出部１７Ｂ，１７Ｃを収容可能となったフランジ部収容部７６（図１４及び図２７を参照）が、上下２個の第２部材６２の間の間隔の部分で形成されていることになる。
【０１４２】
以上の第２中間物４２は、図７及び図８に示されているように、窓用電動式シャッター装置が窓用手動式シャッター装置のときから存在している支持用ブラケット８のブラケット本体８Ａに取り付けられることになる。この取付作業は、上下２個の第２部材６２のうち、下側の第２部材６２の凹部６９により形成されているフランジ部収容部７５に第１突出部１７Ａを収容するとともに、フランジ部収容部７６に２個の第２突出部１７Ｂ，１７Ｃを収容して行い、また、ブラケット本体８Ａに設けられている軸受け部１０の軸受け部本体１６を、第１部材６１に大きく形成されている開口部６４に挿入して行う。
【０１４３】
次いで、図２３で説明した第１部材６１に４個設けられている孔６８のうち、作業者の手前側でかつ上側となっている１個の孔６８に位置決めピン７７（図１４を参照）挿入して、この位置決めピン７７を上側の第２部材６２及びブラケット本体８Ａを貫通させることにより、第２中間物４２をブラケット本体８Ａに位置決め仮固定する。
【０１４４】
なお、このように位置決めピン７７により、第２中間物４２をブラケット本体８Ａに位置決め仮固定する際に、第１部材６１の大きな開口部６４のうち、第３部材６３が挿入されている部分が図１４とは反対側の部分であったために、第２中間物４２の向きを上下逆にしても、また、図４で説明した開閉機２１が電動式巻取軸２０の内部に収納配置されている箇所が、図４で示されているこの巻取軸２０の端部とは反対側の端部であるため、中間構成体３０が図４の右側の支持用ブラケット７の側に配置されることになっていても、位置決めピン７７を挿入できる孔６８は第１部材６１の円周方向に４個設けられているため、作業者は、作業がし易い手前側でかつ上側となっている箇所に設けられている１個の孔６８に位置決めピン７７を挿入することができる。
【０１４５】
以上の作業を行った後に、図１４から分かるように、第１部材６１に上下２個設けられている孔６７のうち、下側の孔６７にリベット等の止着具７８を、第１部材６１に２個設けられている欠部６６にもリベット等の止着具７９をそれぞれ挿入し、止着具７８を第２部材６２及び／又は軸受け部１０の第１突出部１７Ａと、ブラケット本体８Ａとに貫通させ、止着具７９を軸受け部１０の第２突出部１７Ｂ，１７Ｃとブラケット本体８Ａとに貫通させる。これにより、第２中間物４２は、止着具７８，７９により支持用ブラケット８のブラケット本体８Ａに止着されることになる。
【０１４６】
このように第２中間物４２を止着具７８，７９により支持用ブラケット８のブラケット本体８Ａに止着する際にも、第１部材６１の大きな開口部６４のうち、第３部材６３が挿入されている部分が図１４とは反対側の部分であったために、第２中間物４２の向きを上下逆にしても、また、図４で説明した開閉機２１が電動式巻取軸２０の内部に収納配置されている箇所が、図４で示されているこの電動式巻取軸２０の端部とは反対側の端部であるため、中間構成体３０が図４の右側の支持用ブラケット７の側に配置されることになっていても、第１部材６１の孔６７は上下２個あり、欠部６６も前後２個あるため、第２中間物４２を止着具７８，７９により支持用ブラケット８のブラケット本体８Ａに止着する作業を所定どおり行うことができる。
【０１４７】
次いで、電動式巻取軸２０の開口端から突出している開閉機２１の端部２１Ａに取り付けられた第１中間物４１を支持用ブラケット８に近づけ、この第１中間物４１の第２部材５２と、第２中間物４２の第３部材６３の先端部とを、図７、図８及び図１３に示されているように前後方向に重ね合わせ、第１中間物４１の第２部材５２に形成されている２個の孔５５に図７及び図８で説明したビス等の接続具４３を挿入して、これらの接続具４３を第２中間物４２の第３部材６３に２個形成されているねじ孔７１に螺入して締め付ける。
【０１４８】
これにより、第１中間物４１と第２中間物４２は接続され、この接続により形成される中間構成体３０により、電動式巻取軸２０の内部に収納されている開閉機２１と、支持用ブラケット８のブラケット本体８Ａとが連結されることになる。
【０１４９】
以上において、第１中間物４１の第２部材５２と、第２中間物４２の第３部材６３は、図８に示されているように、これらの中間物４１，４２における前後方向の中央部よりも作業者の側となっている手前側に配置されているため、接続具４３による第１及び第２中間物４１，４２の接続作業を容易に行うことができる。
【０１５０】
そして、本実施形態では、第２中間物４２の構成部材となっている第１部材６１についての電動式巻取軸２０の直径方向の寸法が、図７及び図８に示されているＤ１となっており、この寸法Ｄ１は、中間構成体３０を構成する部材のそれぞれの寸法のうちで最大の寸法となっているが、この寸法Ｄ１は、電動式巻取軸２０の直径寸法Ｄ２よりも小さくなっている。また、この直径寸法Ｄ２を支持用ブラケット８の側へ延長した延長直径寸法の内側に中間構成体３０が入るように、支持用ブラケット８における中間構成体３０の配置位置が設定されている。
【０１５１】
このため、図５で示した電動用シャッターカーテン３１を構成するスラット３２が、前述したように、シャッターケース５の内部において左右方向にスライドするおそれがあるものとなっていて、このスライドが実際に生じても、言い換えると、シャッターカーテン３１を構成するシャッターカーテン構成部材が、電動式巻取軸２０に左右方向にずれて巻き取られても、このずれたシャッターカーテン構成部材が中間構成体３０に干渉することはなく、したがって、巻取軸２０によるシャッターカーテン３１による円滑な巻き取り、繰り出しを確保することができる。
【０１５２】
また、上述の寸法Ｄ１を有している第１部材６１は、第２中間物４２の板状となっている第２部材６２を介して支持用ブラケット８のブラケット本体８Ａに結合されており、この第１部材６１は巻取軸２０から大きく離れた箇所に配置されているため、左右方向にスライドしたスラット３２の端部が下方に撓むことがあっても、中間構成体３０と干渉することを防止できる。
【０１５３】
なお、シャッターカーテン構成部材が電動式巻取軸２０に左右方向にずれて巻き取られても、中間構成体３０と干渉しない又は実質的に干渉するおそれがなければ、中間構成体３０を構成する部材となっている箇所又は中間構成体３０の一部となっている箇所についての寸法を、電動式巻取軸２０の直径寸法Ｄ２よりも大きくし、かつこの箇所を上述の延長直径寸法の内側に入らないようにしてもよい。これについての一例は、巻取軸２０から大きく離れていて、支持用ブラケット８のブラケット本体８Ａに近い箇所に配置されている第１部材６１及び第２部材６２の寸法を、電動式巻取軸２０の直径寸法Ｄ２よりも大きくし、かつ第１部材６１及び第２部材６２が上述の延長直径寸法の内側に入らないようにすることである。
【０１５４】
また、上述した電動式巻取軸２０の直径寸法Ｄ２とは、電動用シャッターカーテン３１の上端が吊り元部材を介して電動式巻取軸２０の外周面に結合されているなど場合には、この吊り元部材等のャッターカーテン３１や電動式巻取軸２０に設けられている付属部材を含む寸法である。
【０１５５】
また、電動式巻取軸２０の直径寸法Ｄ２は、電動用シャッターカーテン３１の上端に、この電動用シャッターカーテン３１が全閉位置まで閉じ移動したときでも、電動式巻取軸２０に巻かれている捨て巻きの部分がある場合には、この捨て巻きの部分を含む寸法であり、さらに、電動用シャッターカーテン３１の上端に、電動用シャッターカーテン３１が全閉位置まで閉じ移動したときに、電動式巻取軸２０から繰り出される部分であっても、この繰り出される部分が、電動式巻取軸２０に左右方向にずれるおそれのない部分となっている場合には、この部分を含む寸法である。
【０１５６】
また、本実施形態では、第２中間物４２の構成部材となっている第１部材６１に形成されている開口部６４は、支持用ブラケット８のブラケット本体８Ａに設けられている既存の軸受け部１０を構成する軸受け部本体１６とフランジ部１７とのうち、軸受け部本体１６だけを挿入できる大きさとなっているため、この開口部を軸受け部本体１６とフランジ部１７との両方を挿入できる大きさとした場合と比較すると、開口部６４の大きさを小さくすることができ、このため、第１部材６１の強度や、この第１部材６１が構成要素となっている第２中間物４２の強度、さらには、この第２中間物４２が構成要素となっている中間構成体３０の強度を充分に大きくすることができる。
【０１５７】
また、本実施形態では、既存の軸受け部１０の軸受け部本体１６は、第２中間物４２の第１部材６１の開口部６４に挿入され、この軸受け部１０におけるブラケット本体８Ａに結合されているフランジ部１７となっている第１突出部１７Ａは、第２中間物４２の第２部材６２の凹部６９によりブラケット本体８Ａとの間で形成されているフランジ部収容部７５に収容されており、また、軸受け部１０の別のフランジ部１７となっている２個の第２突出部１７Ｂ，１７Ｃは、第２中間物４２の上下２個の第２部材６２の間の間隔によりブラケット本体８Ａとの間で形成されているフランジ部収容部７６に収容されているため、開閉機２１と支持用ブラケット８のブラケット本体８Ａとを連結する中間構成体３０は、既存の軸受け部１０に邪魔されないで、これらの開閉機２１と支持用ブラケット８のブラケット本体８Ａとの間に介入されていることになる。
【０１５８】
また、図２８及び図２９で示した寸法Ｌ１と寸法Ｌ２は同じあるため、図２８で示されている軸受け部１０のフランジ部１７のうち、第１突出部１７Ａの下端１７Ｅに、第２中間物４２の構成部材となっている第２部材６２の凹部６９の下端６９Ａを当接させることにより、第１突出部１７Ａをフランジ部収容部７５に収容すると、第２中間物４２及び中間構成体３０は支持用ブラケット８に対して上下方向と前後方向に位置決めされることになり、このため、この位置決めにより、電動式巻取軸２０を、左右一対の支持用ブラケット７，８の間に、上下方向と前後方向の所定位置にして配置することができることになり、これにより、この巻取軸２０の高度の水平精度等を確保することができる。
【０１５９】
また、本実施形態の第２中間物４２には、上下２個の第２部材６２が上下の向きを逆にして設けられ、これらの第２部材６２は、同一寸法で同一形状の凹部６９が形成された同じものとなっているため、これらの第２部材６２により、中間構成体３０の一部を構成する構成物となっている第２中間物４２を上下逆転して使用できるようになっている。
【０１６０】
このため、第２中間物４２には上下の区別がなく、したがって、この第２中間物４２を支持用ブラケット８のブラケット本体８Ａに結合する際に、上下を気にすることなくこの結合作業を容易に行える。
【０１６１】
次に、切替部材３５と電源コード３９の配線方法の一実施形態を、手動式巻取軸６から電動式巻取軸２０への改修方法の一実施形態と併せて詳細に説明する。
【０１６２】
まず、少なくとも、図１に示されているシャッターケース５の下面部（底面部）を構成する蓋部材５Ｄと、左右一対のガイドレール４Ａ，４Ｂを取り外す作業工程を実施する（作業を行う）。
【０１６３】
次に、上端が手動式巻取軸６に連結されている図１に示されている手動式シャッターカーテン３を、手動式巻取軸６から取り外す作業工程を実施する。
【０１６４】
この後、左右一対の支持用ブラケット７，８に設けられている軸受け部９，１０で支持されている手動式巻取軸６を、軸受け部９，１０から取り外す作業工程を実施する。
【０１６５】
次に、図３に示す残された左側の支持用ブラケット８のブラケット本体８Ａに、電動式巻取軸２０における支持用ブラケット８の側の端部を形成している開閉機２１の支持用ブラケット８の側の端部２１Ａから導出される電源コード３９を挿通するための図４や図１１に示す孔８Ｅ，８Ｆを形成する作業工程を実施する。また、図６に示す残された右側の支持用ブラケット７のブラケット本体７Ａに、電動式巻取軸２０における支持用ブラケット７の側の端部を形成している中心軸２５の軸端部２５Ａから導出される切替部材３５を挿通するための図４〜図６に示す孔７Ｅと、電源コード３９を挿通するための図４〜図６に示す孔７Ｆと、を形成する作業工程を実施する。
【０１６６】
なお、ブラケット本体８Ａに孔８Ｅ，８Ｆを形成する作業工程と、ブラケット本体７Ａに孔７Ｅ，７Ｆを形成する作業工程とは、複数の作業者により同時に実施されるようにしてもよく、少なくとも１人の作業者により、孔８Ｅ，８Ｆを形成する作業工程と、孔７Ｅ，７Ｆを形成する作業工程のうちのいずれか一方の作業工程が先に実施され、この後、他方の作業工程が実施されるようにしてもよい。
【０１６７】
この後、上記作業工程の実施によりブラケット本体７Ａ，８Ａに形成した孔７Ｆ，８Ｆに、電動式巻取軸２０から導出される電源コード３９を案内するための図１１に示す案内部材９０を取り付ける作業工程を実施する。具体的には、図１１に示すように、案内部材９０の両端部の一方の端部を止着具９０Ａにより孔８Ｆの周縁部に止着するとともに、他方の端部を止着具９０Ａにより孔７Ｆの周縁部に止着し、この案内部材９０における第２屈曲部９０Ｃ水平部から第３屈曲部９０Ｄの水平部まで水平に延びている部分９０Ｆ（言い換えると主要部９０Ｆ）を、図１２に示すように、補強部材９１の底部９１Ａに載置する作業工程を実施する。なお、補強部材９１の底部９１Ａに載置した案内部材９０は、この補強部材９１に固定するようにしてもよく、固定しなくてもよい。
【０１６８】
次に、図４、図１６や図１７に示すシャッターケース５の蓋部材５Ｃに、電源コード３９を挿通するための２個の孔５Ｊ，５Ｋを形成する作業工程と、図４、図１８、図１９に示すシャッターケース５の蓋部材５Ｂに、切替部材３５を挿通するための２個の孔５Ｆ，５Ｇ及び開口部５Ｉと、電源コード３９を挿通するための孔５Ｈを形成する作業工程と、を実施する。なお、蓋部材５Ｂに孔５Ｆ，５Ｇ，５Ｈ及び開口部５Ｉを形成する作業工程と、蓋部材５Ｃに孔５Ｊ，５Ｋを形成する作業工程も、複数の作業者により同時に実施されるようにしてもよく、少なくとも１人の作業者により、蓋部材５Ｂに孔５Ｆ，５Ｇ及び開口部５Ｉを形成する作業工程と、蓋部材５Ｃに孔５Ｊ，５Ｋを形成する作業工程のうちのいずれか一方の作業工程が先に実施され、この後、他方の作業工程が実施されるようにしてもよい。なお、蓋部材５Ｂに孔５Ｆ，５Ｇ，５Ｈ及び開口部５Ｉを形成する作業工程と、蓋部材５Ｃに孔５Ｊ，５Ｋを形成する作業工程は、シャッター装置の設置場所である現場ではなく、予め工場で実施するようにしてもよい。
【０１６９】
次に、キャップ部材４０の取付部材４０Ｂに、電源コード３９が挿通される孔４０Ｃ，４０Ｄを形成する作業工程と、キャップ部材３７の取付部材３７Ｂに、切替部材３５が挿通される孔３７Ｆ，３７Ｇと、電源コード３９が挿通される孔３７Ｄと、を形成する作業工程と、キャップ部材４４の取付部材４４Ｂに、電源コード３９が挿通される孔４４Ｄを形成する作業工程と、を実施する。取付部材４０Ｂに孔４０Ｃ，４０Ｄを形成する作業工程と、取付部材３７Ｂに孔３７Ｆ，３７Ｇ，３７Ｄを形成する作業工程と、取付部材４４Ｂに孔４４Ｄを形成する作業工程は、シャッター装置の設置場所である現場ではなく、予め工場で実施するようにしてもよい。
【０１７０】
この後、キャップ部材４０の取付部材４０Ｂを蓋部材５Ｃに取り付ける作業工程と、キャップ部材３７の取付部材３７Ｂを蓋部材５Ｂに取り付ける作業工程と、キャップ部材４４の取付部材４４Ｂを建物外壁２に取り付ける作業工程と、を実施する。
【０１７１】
次に、図７及び図８に示すように、開閉機２１の端部２１Ａと、支持用ブラケット８のブラケット本体８Ａとを連結するための中間構成体３０を構成する第２中間物４２を、ブラケット本体８Ａに取り付ける作業工程と、中間構成体３０を構成する図７、図８及び図１３に示す第１中間物４１を、電動式巻取軸２０の開閉機２１の端部２１Ａに取り付ける作業工程と、を実施する。なお、この第１中間物４１を電動式巻取軸２０の開閉機２１の端部２１Ａに取り付ける作業工程は、シャッター装置の設置場所である現場ではなく、予め工場で実施するようにしてもよい。
【０１７２】
この後、切替部材３５及び電源コード３９が導出されている電動式巻取軸２０を、高さ位置が支持用ブラケット７，８の軸受け部９，１０の上端の高さ位置よりも若干上の高さ位置となるまで、水平に持ち上げる作業工程を実施する。
【０１７３】
次に、電動式巻取軸２０から導出されている切替部材３５を、ブラケット本体７Ａの孔７Ｅと、蓋部材５Ｂの孔５Ｆと、キャップ部材３７の取付部材３７Ｂの孔３７Ｆと、に挿通して、図１５や図１８に示すように、蓋部材５Ｂの外部に一旦突出させた後に、電動式巻取軸２０における支持用ブラケット７の側の端部を形成している中心軸２５の軸端部２５Ａを、支持用ブラケット７のブラケット本体７Ａに設けられている軸受け部９の軸受け部本体１８の底部１８Ａに載置させる作業工程を実施する。
【０１７４】
この作業工程の後、又はこの作業工程と同時に、電動式巻取軸２０から導出されている電源コード３９を、ブラケット本体８Ａの孔８Ｅと、蓋部材５Ｃの孔５Ｊと、キャップ部材４０の取付部材４０Ｂの孔４０Ｃと、に挿通して、図１５や図１６に示すように、蓋部材５Ｃの外部に一旦突出させた後に、電動式巻取軸２０における支持用ブラケット７の側の端部を形成している開閉機２１の端部２１Ａに取り付けた第１中間物４１を、支持用ブラケット８のブラケット本体８Ａに取り付けた第２中間物４２に、図７及び図８に示すビス等の接続具４３により接続（連結）する作業工程を実施する。
【０１７５】
次に、軸受け部９の軸受け部本体１８の底部１８Ａに載置させた電動式巻取軸２０の中心軸２５の軸端部２５Ａを、図５及び図６に示すように、ボルト１４とナット１５で軸受け部９の軸受け部本体１８に固定する作業工程を実施する。なお、この作業工程は、第１中間物４１を第２中間物４２に接続する上記作業工程と同時に実施するようにしてもよい。
【０１７６】
以上の作業工程の実施により、電動式巻取軸２０は、支持用ブラケット７，８に支持された状態となる。
【０１７７】
この後、電動式巻取軸２０に電動用シャッターカーテン３１の上端を取り付ける作業工程を実施し、次いで、前述した最初の作業工程で取り外したシャッターケース５の底面部（下面部）を構成する蓋部材５Ｄ（図１２参照）と、左右一対のガイドレール４を取り付ける作業工程を実施する。なお、電動式巻取軸２０に電動用シャッターカーテン３１の上端を取り付ける作業工程は、予め工場において実施されるようにしてもよい。すなわち、電動式巻取軸２０は、電動用シャッターカーテン３１が巻き取られた状態で現場に搬入されるようにしてもよい。
【０１７８】
この後、前述したように蓋部材５Ｂの孔５Ｆ及び取付部材３７Ｂの孔３７Ｆから一旦突出させた切替部材３５を、図１１に示す取付部材３７Ｂの孔３７Ｇと、図１１及び図１８に示す蓋部材５Ｂの孔５Ｇと、に挿通するとともに、ブラケット本体７Ａと蓋部材５Ｂとの間に形成された図４に示す隙間部Ｓ１に通過させ、図４や図１９に示すように、蓋部材５Ｂの下面部（底面部）５Ｅに形成されたシャッターカーテン３１の厚さ方向である前後方向に長い開口部５Ｉから露出(突出)させる作業工程と、この切替部材３５の終端部を、左右一対のガイドレール４Ａ，４Ｂのうちの一方（図９では右側のガイドレール４Ｂ）に配置された引張操作部材３８に連結させる作業工程を実施する。
【０１７９】
また、前述したように蓋部材５Ｃの孔５Ｊ及び取付部材４０Ｂの孔４０Ｃから一旦突出させた電源コード３９を、図１１に示すように、取付部材４０Ｂの孔４０Ｄと、蓋部材５Ｃの孔５Ｋと、ブラケット８Ａの孔８Ｆと、に挿通し、シャッターケース５の内部であるブラケット本体８Ａとブラケット本体７Ａとの間を通過させた後、ブラケット本体７Ａの孔７Ｆと、蓋部材５Ｂの孔５Ｈと、取付部材３７Ｂの孔３７Ｄと、に挿通し、蓋部材５Ｂの孔５Ｈ及び取付部材３７Ｂの孔３７Ｄから突出（露出）させる作業工程を実施する。この作業工程では、蓋部材５Ｃの孔５Ｊ及び取付部材４０Ｂの孔４０Ｃから一旦突出させた電源コード３９を、図１１や図１７に示すように、取付部材４０Ｂの孔４０Ｄと、蓋部材５Ｃの孔５Ｋと、ブラケット８Ａの孔８Ｆと、に挿通するとともに、この電源コード３９を送出する。これにより、電源コード３９は、図１１に示すように、案内部材９０に案内されてシャッターケース５の内部であるブラケット本体８Ａとブラケット本体７Ａとの間を通過した後、ブラケット本体７Ａの孔７Ｆと、蓋部材５Ｂの孔５Ｈと、取付部材３７Ｂの孔３７Ｄと、に挿通され、図１１や図１９に示すように、蓋部材５Ｂの孔５Ｈと取付部材３７Ｂの孔３７Ｄから突出（露出）されることになる。
【０１８０】
そして、図１１に示す管部材４８の内部に、蓋部材５Ｂの孔５Ｈ及び取付部材３７Ｂの孔３７Ｄから突出（露出）させた電源コード３９を通す作業工程を実施する。
【０１８１】
この後、管部材４８の内部に通した電源コード３９を、図１１に示すように、建物外壁２に取り付けられたキャップ部材４４の取付部材４４Ｂの孔４４Ｄと、図示されない建物外壁２の孔と、に挿通し、建物内部に送出する作業工程と、電源コード３９の終端部である電源プラグを建物内部に配置されている図１９に電源コンセント４９に差し込む（接続させる）作業工程と、を実施する。
【０１８２】
これらの配線作業が終了した後は、切替部材３５のうちの蓋部材５Ｂから露出している部分３５Ａ（図１９参照）と、電源コード３９のうちの蓋部材５Ｂから露出している部分３９Ｂ（図１９参照）と、を覆うためのキャップ部材３７の本体３７Ａを、蓋部材５Ｂに止着した取付部材３７Ｂに取り付ける作業工程を実施する。また、電源コード３９のうちの建物外壁２から露出している部分３９Ｄ（図１１参照）を覆うためのキャップ部材４４の本体４４Ａを、建物外壁２に止着した取付部材４４Ｂに取り付ける作業工程を実施する。さらに、電源コード３９のうちの蓋部材５Ｃから露出している部分３９Ａ（図１７参照）を覆うためのキャップ部材４０の本体４０Ａを、蓋部材５Ｃに止着した取付部材４０Ｂに取り付ける作業工程を実施する。
【０１８３】
この後、孔３７Ｅに管部材４８の両端部のうちの一方の端部が嵌合された蓋部材３７Ｃをキャップ部材３７の下端に取り付けるとともに、孔４４Ｅに管部材４８の両端部のうちの他方の端部が嵌合された蓋部材４４Ｃをキャップ部材４４の下端に取り付ける作業工程を実施する。
【０１８４】
以上で、切替部材３５及び電源コード３９の配線作業を含む手動式巻取軸６を電動式巻取軸２０に改修するためのシャッター装置の改修作業は終了する。
【０１８５】
なお、電源コード３９の終端部を電源コンセント４９に差し込む作業工程は、電動式巻取軸２０の動作確認を実施するときに行えばよく、最後に実施されるものでもよい。
【０１８６】
なお、シャッターケース５の下面部（底面部）を取り外す作業工程を実施するタイミングは、手動式巻取軸６を取り外す作業工程を実施する前であれば作業工程の利便性を考慮して任意であり、シャッターケース５の下面部（底面部）を取り付ける作業工程を実施するタイミングも、電動式巻取軸６を取り付ける作業工程を実施した後であれば作業工程の利便性を考慮して任意である。
【０１８７】
なお、以上説明した実施形態において、図１１に示す電源コード３９が挿通されるブラケット本体８Ａの孔８Ｅ，８Ｆ、蓋部材５Ｃの孔５Ｊ，５Ｋ、キャップ部材４０の取付部材４０Ｂの孔４０Ｃ，４０Ｄ、案内部材９０、ブラケット本体７Ａの孔７Ｆ、蓋部材５Ｂの孔５Ｈ、キャップ部材３７の取付部材３７Ｂの孔３７Ｄ、両端部がキャップ部材３７，４４の蓋部材３７Ｃ，４４Ｃに取り付けられる管部材４８、キャップ部材４４の取付部材４４Ｂの孔４４Ｄ、図示されない建物外壁２の孔の内径寸法は、電源コード３９の終端部に取り付けられる図示されない電源プラグの最大寸法（電源コンセントに挿入する方向と直交する方向の最大幅寸法（電源プラグが円柱状である場合には最大直径寸法））よりも大きくなっていてもよく、いなくてもよい。
【０１８８】
すなわち、上述した各孔、案内部材９０、管部材４８は、電源コード３９の終端部に取り付けられる電源プラグが挿通可能な内径寸法を有するものでもよく、有しないものでもよい。
【０１８９】
後者の場合には、電源コード３９を、上述した各孔、管部材４８に挿通し、建物内部に通す作業工程が実施された後に、電源プラグを電源コード３９の終端部に取り付ける作業工程が実施されるようにする。なお、この電源プラグを電源コード３９の終端部に取り付ける作業工程は、他の作業工程（電源コード３９の挿通作業工程を除く）と前後して構わない。
【０１９０】
以上説明した本実施形態では、開閉機２１は、図４に示されているように、不動部材であるシャッターケース５の内部におけるこのシャッターケース５の幅方向（長手方向）の両端部のうちの一方の端部側である左側（言い換えると、シャッターケース５の内部におけるこのシャッターケース５の幅方向中央部よりも左側）に配置されている。
【０１９１】
一方、電源接続部である電源コンセント４９は、図９に示されているように、シャッターケース５よりもこのシャッターケース５の幅方向の両端部のうちの他方の端部側である右側に配置されている。言い換えると、電源コンセント４９は、シャッター装置よりも右側に配置されている。
【０１９２】
このため、本実施形態では、開閉機２１から延びる電源コード３９が、シャッターケース５の内部におけるこのシャッターケース５の幅方向の両端部のうちの一方の端部である左端部から他方の端部である右端部まで延びる配線構造となっている。
【０１９３】
これにより、電源コード３９は、外力（雨水や埃等を含む）にさらされることが防止される。
【０１９４】
このため、本実施形態によると、開閉機２１から延びる電源コード３９を外力から保護できるようになる。
【０１９５】
なお、本実施形態では、電源コード３９の一部は、シャッターケース５の蓋部材５Ｂ，５Ｃから外部に露出させるようになっているが、電源コード３９のうちの外部に露出した部分は、カバー部材であるキャップ部材３７，４０，４４で覆われるようになっており、また、管部材４８の内部に挿通されるようになっている。
【０１９６】
このため、本実施形態によると、電源コード３９のうちの外部に露出した部分も、外力、雨水、埃等から保護されるようになっている。
【０１９７】
また、本実施形態では、シャッターケース４の内部におけるこのシャッターケース５の左端部から右端部まで延びる電源コード３９は、ブラケット本体８Ａ，７Ａの間に架設された補強部材９１の底部９１Ａの上に載置されるようになっている。
【０１９８】
このため、本実施形態によると、電源コード３９を、シャッターケース４の内部において、このシャッターケース５の左端部から右端部まで宙吊り状態で延びるようにした場合と比較して、電源コード３９が、開閉移動するシャッターカーテン３１等の他の部材の邪魔になることを防止することができ、また、電源コード３９の耐久性を高めることができる。
【０１９９】
また、本実施形態では、図４や図１９に示されているように、電源コード３９は、切替部材３５と干渉しない位置に配線されており、このため、切替部材３５による開閉機２１のブレーキ２１Ｄのオン、オフ切り替え操作が円滑に行われるようになっている。
【０２００】
なお、本実施形態において、図１１や図１２に示す案内部材９０を配置せずに、シャッターケース５の内部における電源コード３９の配線作業の全ては、このシャッターケース５の底面部を構成する蓋部材５Ｄが外された状態で、作業者がシャッターケース５の内部に手を差し入れて行うようにしてもよい。すなわち、作業者は、シャッターケース５の内部に手を差し入れながら、電源コード３９を補強部材９１の底部９１Ａに順次載置していく作業を行うようにしてもよい。この場合には、補強部材９１に載置した電源コード３９がこの補強部材９１から脱落することのないように、電源コード３９を補強部材９１に固定することが好ましい。例えば、電源コード３９と補強部材９１とを紐状部材で結んで固定する等することが好ましい。
【０２０１】
図３０は、図１２に示す補強部材９１の別実施形態（変形例）が示されている図１２と同様の図である。
【０２０２】
この図３０に示されているように、本実施形態に係る補強部材１９１は、垂直方向（上下方向）の断面形状がコ字状となっている。すなわち、補強部材１９１は、上向きに開口したチャンネル材となっている。
【０２０３】
本実施形態では、電源コード３９は、底部（水平延出部）１９１Ａと、この底部１９１Ａの両端部から立ち上がる立上部（垂直延出部）１９１Ｂを有する補強部材１９１のうち、底部１９１Ａに載置され、かつ、左右の立上部１９１Ｂにより左右方向への移動が規制されている。すなわち、電源コード３９は、底部１９１Ａと左右２個の立上部１９１Ｂで囲まれた空間に収納された状態となっている。
【０２０４】
このため、本実施形態によると、補強部材１９１の底部１９１Ａに載置されている電源コード３９が、補強部材１９１から脱落することが防止されるようになっている。
【０２０５】
また、本実施形態では、補強部材１９１は、電源コード３９をブラケット本体８Ａとブラケット本体７Ａとの間を通過させるための案内部材にもなっている。
【０２０６】
なお、本実施形態では、図１１や図１２に示すような案内部材９０は備えられていないため、配線作業者は、ブラケット本体８Ａの孔８Ｅと、蓋部材５Ｃの孔５Ｇと、この蓋部材５Ｃに取り付けられたキャップ部材４０の取付部材４０Ｂの孔４０Ｃと、に挿通されて一旦外部に露出された電源コード３９を、前記取付部材４０Ｂの孔４０Ｄと、蓋部材５Ｃの孔５Ｋと、ブラケット本体８Ａの孔８Ｆと、に挿通した後、シャッターケース５の内部において、ブラケット本体８Ａとブラケット本体７Ａとの間に架設されている補強部材１９１の底部１９１Ａと左右２個の立上部１９１Ｂで囲まれた空間に、電源コード３９を収納配置する作業を行う必要がある。さらに、配線作業者は、電源コード３９を、ブラケット本体７Ａの孔７Ｆと、蓋部材５Ｂの孔５Ｈと、この蓋部材５Ｂに取り付けられたキャップ部材３７の取付部材３７Ｂの孔３７Ｄと、に挿通して一旦外部に露出させる作業を行う必要がある。
【０２０７】
このため、本実施形態において、ブラケット本体８Ａの孔８Ｆの周縁部には、横方向（水平方向）から下方向（鉛直方向）へ屈曲する第１屈曲部（図１１に示す案内部材９０の第１屈曲部９０Ｂと同様のもの）と、下方向から横方向へ屈曲する第２屈曲部（図１１に示す案内部材９０の第２屈曲部９０Ｃと同様のもの）と、を有する第１案内部材を取り付けるとともに、ブラケット本体７Ａの孔７Ｆの周縁部には、横方向から上方向へ屈曲する第１屈曲部（図１１に示す案内部材９０の第３屈曲部９０Ｄと同様のもの）と、上方向から横方向へ屈曲する第２屈曲部９０Ｃ（図１１に示す案内部材９０の第４屈曲部９０Ｅと同様のもの）と、を有する第２案内部材を取り付けるようにしてもよい。すなわち、本実施形態において、図１１に示す案内部材９０のうち、第２屈曲部９０Ｃ水平部から第３屈曲部９０Ｄの水平部まで水平に延びている部分９０Ｆ（言い換えると主要部９０Ｆ）を除外することにより形成される左右２個の案内部材を、ブラケット本体８Ａとブラケット本体７Ａとの間に配置してもよい。
【０２０８】
これによると、配線作業者は、ブラケット本体８Ａの孔８Ｅと、蓋部材５Ｃの孔５Ｇと、この蓋部材５Ｃに取り付けられたキャップ部材４０の取付部材４０Ｂの孔４０Ｃと、に挿通されて一旦外部に露出された電源コード３９を、前記取付部材４０Ｂの孔４０Ｄと、蓋部材５Ｃの孔５Ｋと、ブラケット本体８Ａの孔８Ｆと、に挿通し、この電源コード３９を送り出すことにより、電源コード３９は、上記第１案内部材と、補強部材１９１と、上記第２案内部材とに、案内された後、ブラケット本体７Ａの孔７Ｆと、蓋部材５Ｂの孔５Ｈと、この蓋部材５Ｂに取り付けられたキャップ部材３７の取付部材３７Ｂの孔３７Ｄと、に挿通されて一旦外部に露出することになる。すなわち、上記第１及び第２案内部材を配置することにより、配線作業者は、シャッターケース５の内部で電源コード３９を配線する作業を行う必要がなくなる。
【０２０９】
図３１は、電源コード３９の配線構造の別実施形態の全体が示されている窓用電動式シャッター装置の正面図であり、図３２は、電源コード３９の配線構造の別実施形態の一部が示されている電動式巻取軸の正断面図である。また、図３３は、電源コード３９の配線構造の別実施形態の全体の部分拡大断面図であり、図３４は、図３１のＳ３４−Ｓ３４線断面図である。
【０２１０】
図３１や図３２に示すように、本実施形態では、電源コード３９は、前述した図９に示す実施形態に係る配線構造のように、シャッターケース５の内部におけるこのシャッターケース５の幅方向の両端部のうちの一方の端部である左端部から、他方の端部である右端部まで延びる（経由する）ものではなく、左右一対のガイドレーレ４Ａ，４Ｂのうちの一方である左側（シャッターケース５の幅方向の両端部のうちの前記一方の端部側）のガイドレール４Ａの内部における上端部（シャッターカーテン３１の開き側の端部）から下端部（シャッターカーテン３１の閉じ側の端部）まで通された（経由した）後に、建物屋内へ配線される構造となっている。
【０２１１】
図３３及び図３４に示されているように左側のガイドレール４Ａは、金属製の板材の折り曲げにより形成されており、シャッターカーテン３１とこのシャッターカーテン３１の閉じ側の端部に設けられたエンド部材である座板３１Ｃの幅方向の両端部の一方の端部である左端部がスライド自在に挿入される溝部４Ｃを有し、この溝部４Ｃ以外の部分は、板材で囲まれた中空部Ｓ３となっている。なお、図３４に示すように、この中空部Ｓ３に電源コード３９が挿通されるようになっている。なお、右側のガイドレール４Ｂは、左側のガイドレールと左右対称の形状、構造を有している。
【０２１２】
本実施形態では、前述した実施形態と同様に、開閉機２１から延びる電源コード３９を、蓋部材５Ｃから一旦外部に突出させるために、ブラケット本体８Ａ、蓋部材５Ｃ、キャップ部材４０の取付部材４０Ｄには、孔８Ｅ、孔５Ｊ、孔４０Ｃがそれぞれ形成されている。
【０２１３】
しかし、本実施形態では、電源コード３９が挿通される左側のガイドレール４Ａの中空部Ｓ３は、図３４に示すように、シャッターカーテン３１よりも建物外壁２側（図３２では電動式巻取軸２０よりも奥側）に配置されている。
【０２１４】
このため、本実施形態では、蓋部材５Ｃの外部に一旦突出させた電源コード３９をシャッターケース５の内部に通すための孔、すなわち、蓋部材５Ｃに形成する図３２及び図３３に示す孔１０５Ｋ（前述の実施形態における図４や図１１に示す孔５Ｋに相当するもの）や、ブラケット本体８Ａに形成する孔１０８Ｆ（前述の実施形態における図４や図１１に示す孔８Ｆに相当するもの）の位置は、シャッターカーテン３１よりも建物外壁２側（図３２では電動式巻取軸２０よりも奥側）の位置となっている。なお、蓋部材５Ｃに止着されるキャップ部材４０の取付部材４０Ｂに形成される孔４０Ｄの位置も、シャッターカーテン３１よりも建物外壁２側（図３２では電動式巻取軸２０よりも奥側）の位置となっている。
【０２１５】
図３３に示されているように、ブラケット本体８Ａの孔１０８Ｆと、蓋部材５Ｃに形成された孔５Ｌとの間には、キャップ部材４０の取付部材４０Ｂの孔４０Ｄと、蓋部材５Ｃの孔１０５Ｋと、ブラケット本体８Ａの孔１０８Ｆと、に挿通された電源コード３９が、蓋部材５Ｄの孔５Ｌに挿通されることを案内するための案内部材１９０が配置されている。この案内部材１９０は、水平方向から垂直方向へ屈曲した屈曲部１９０Ｂを有し、両端部のうちの一方の端部が、止着具１９０Ａによりブラケット本体８Ａの孔１０８Ｆの周縁部に止着されている。なお、蓋部材５Ｄに形成される孔５Ｌの位置も、シャッターカーテン３１よりも建物外壁２側（図３２では電動式巻取軸２０よりも奥側）の位置となっている。
【０２１６】
図３１及び図３３に示されているように、ガイドレール４Ａの下端には、金属製の板材の折り曲げにより形成され、窓サッシの外側の窓用開口部の下枠を構成する下枠部材３４が取り付けられており、この下枠部材３４の底部３４Ａにおける蓋部材５Ｄの孔５Ｌの真下（直下）の位置には、この孔５Ｌに通された電源コード３９が挿通される孔３４Ｂが形成されている。
【０２１７】
下枠部材３４の底部３４Ａの孔３４Ｂに挿通された電源コード３９は、この後、建物外壁２に取り付けられたキャップ部材４４の取付部材４４Ｂの孔４４Ｄと、建物外壁２に形成された図示しない孔と、に挿通されて建物内部の部屋に通され、最終的に、電源コード３９の終端部（電源プラグの部分）が部屋内部に配置されている電源コンセント４９（図３１参照）に接続される。
【０２１８】
なお、図３３に示されているように、本実施形態においても、電源コード３９のうちの建物外壁２から露出している部分３９Ｄは、キャップ部材４４（図１１に示すものと同様のもの）で覆われている。そして、電源コード３９は、下枠部材３４の底部３４Ａから、建物外壁２に取り付けられたキャップ部材４４の下端までは、Ｕ字状に垂下した状態で外部に露出されることになるため、この露出した部分３９Ｃは、可撓性を有する管部材１４８の内部に挿通されて外部から保護されるようになっている。図３３に示されているように、この管部材１４８の一方の端部は、下枠部材３４の底部３４Ａの孔３４Ｂに嵌合されるとともに、他方の端部は、キャップ部材４４の下端を塞ぐための蓋部材４４Ｃに形成された孔４４Ｅに嵌合される。
【０２１９】
なお、ガイドレール４Ａの内部の中空部Ｓ３に電源コード３９を通す作業は、最初の作業工程で取り外した左右一対のガイドレール４Ａ，４Ｂを再び取り付ける作業の前に実施する。
【０２２０】
以上説明した本実施形態では、開閉機２１は、図３２に示されているように、図９の実施形態と同様に、不動部材であるシャッターケース５の内部におけるこのシャッターケース５の幅方向（長手方向）の両端部のうちの一方の端部側である左側（言い換えると、シャッターケース５の内部におけるこのシャッターケース５の幅方向中央部よりも左側）に配置されている。
【０２２１】
一方、電源接続部である電源コンセント４９は、図３１に示されているように、シャッターケース５よりもこのシャッターケース５の幅方向の両端部のうちの一方の端部側である左側であって、シャッターケース５よりもシャッターカーテン３１の閉じ側（下側）に配置されている。
【０２２２】
このため、本実施形態では、開閉機２１から延びる電源コード３９が、シャッターケース５の内部を経由して、左側のガイドレール４Ａの内部におけるこのガイドレール４Ａの上端部から下端部まで延びる配線構造となっている。
【０２２３】
このため、本実施形態においても、電源コード３９は、外力（雨水や埃等を含む）にさらされることが防止され、開閉機２１から延びる電源コード３９を外力から保護できるようになる。
【０２２４】
なお、本実施形態では、蓋部材５Ｄの孔５Ｌに通され、ガイドレール４Ａの中空部Ｓ３の内部を垂下している電源コード３９を、下枠部材３４の孔３４Ａに挿通する作業は、下枠部材３４を左右のガイドレール４Ａ，４Ｂから取り外した状態で行う。
【０２２５】
図３５は、図３１の実施形態の変形例を示す図である。この図３５に示すように、本実施形態では、電源コード３９は、下枠部材３４の底部３４Ａの孔３４Ｂを経由せずに、ガイドレール４Ａの下端部（シャッターカーテン３１の閉じ側の端部）近傍の外側面部（図３５では左側面部）に形成された図示しない孔に挿通された後、さらに、このガイドレール４Ａの下端部近傍の外側面部に密着して配置されたキャップ部材４４の本体４４Ａの側面部（図３５では右側面部）に形成された図示しない孔にも挿通される。この後は、図３１の実施形態と同様に、キャップ部材４４の取付部材４４Ｂの孔４４Ｄと、建物外壁２に形成された図示しない孔と、に挿通されて建物内部の部屋に通され、最終的に、電源コード３９の終端部（電源プラグの部分）が部屋内部に配置されている電源コンセント４９に接続される。
【０２２６】
このように、本実施形態では、図９や図３１の実施形態で使用された管部材４８，１４８が不要となる配線構造となっている。また、キャップ部材４４の下端には、蓋部材４４Ｃを取り付ける必要がなくなる。
【０２２７】
なお、ガイドレール４Ａの内部の中空部Ｓ３に電源コード３９を通す作業や、ガイドレール４Ａの下端部近傍の外側面部に形成された図示しない孔に電源コード３９を通す作業は、最初の作業工程で取り外した左右一対のガイドレール４Ａ，４Ｂを再び取り付ける作業の前に実施する。
【０２２８】
図３６は、図９の実施形態と図３１の実施形態とを組み合わせた配線構造の実施形態を示す図である。
【０２２９】
本実施形態では、開閉機２１から延びる電源コード３９は、図９の実施形態と同様に、シャッターケース５の内部において補強部材９１の底部９１Ａに載置されながら通されるものであるが、図９の実施形態のように、シャッターケース５の内部におけるこのシャッターケース５の幅方向の両端部のうちの一方の端部である左端部から他方の端部である右端部まで通されるものではない。
【０２３０】
すなわち、本実施形態では、図３６に示すように、シャッターケース５の内部における右端部手前の位置である右側のガイドレール４Ｂの上端部まで通された後は、図３１や図３５の実施形態と同様に、ガイドレール４Ｂの内部の中空部Ｓ３に挿通され、これ以降の配線構造は、図３１の実施形態と同様のものとなる。すなわち、ガイドレール４Ｂの内部の中空部に挿通された以降の電源コード３９の配線構造は、図３１の実施形態に係る配線構造と左右対称のものとなる。
【０２３１】
したがって、ガイドレール４Ｂの内部の中空部に挿通された電源コード３９は、下枠部材３４の底部３４Ａの孔３４Ｂにも挿通され、この後、キャップ部材４４の取付部材４４Ｂの孔４４Ｄと、建物外壁２に形成された図示しない孔と、に挿通されて建物内部の部屋に通され、最終的に、電源コード３９の終端部（電源プラグの部分）が部屋内部に配置されている電源コンセント４９（図３６参照）に接続される。
【０２３２】
なお、本実施形態では、図１２に示す補強部材９１の底部９１Ａにおける下枠部材３４の底部３４Ａの孔３４Ｂと対応する位置には、電源コード３９が挿通される孔が形成されている。補強部材９１の底部９１Ａに載置されている電源コード３９は、この底部９１Ａに形成された前記孔に挿通された後、垂下した状態でガイドレール４Ｂの内部の中空部を通過し、下枠部材３４の底部３４Ａの孔３４Ｂに挿通されることになる。
【０２３３】
なお、ガイドレール４Ｂの内部の中空部Ｓ３に電源コード３９を通す作業は、最初の作業工程で取り外した左右一対のガイドレール４Ａ，４Ｂを再び取り付ける作業の前に実施する。
【０２３４】
以上説明した本実施形態では、開閉機２１は、図９の実施形態と同様に、不動部材であるシャッターケース５の内部におけるこのシャッターケース５の幅方向（長手方向）の両端部のうちの一方の端部側である左側（言い換えると、シャッターケース５の内部におけるこのシャッターケース５の幅方向中央部よりも左側）に配置されている。
【０２３５】
一方、電源接続部である電源コンセント４９は、図３６に示されているように、シャッターケース５よりもこのシャッターケース５の幅方向の両端部のうちの他方の端部側である右側であって、シャッターケース５よりもシャッターカーテン３１の閉じ側（下側）に配置されている。
【０２３６】
このため、本実施形態では、開閉機２１から延びる電源コード３９が、シャッターケース５の内部におけるこのシャッターケース５の幅方向の両端部のうちの一方の端部である左端部から他方の端部である右端部近傍まで延びた後、右側のガイドレール４Ｂの内部におけるこのガイドレール４Ｂの上端部から下端部まで延びる配線構造となっている。
【０２３７】
このため、本実施形態においても、電源コード３９は、外力（雨水や埃等を含む）にさらされることが防止され、開閉機２１から延びる電源コード３９を外力から保護できるようになる。
【０２３８】
なお、本実施形態では、図９の実施形態と同様に、シャッターケース５の内部に電源コード３９を案内するための案内部材（図１１に示す案内部材９０のようなもの）を配置してもよく、配置しなくてもよい。
【０２３９】
前者の場合には、案内部材の形状、構造は、例えば、図１１に示す案内部材９０のように、両端部のうちの一方の端部が止着具によりブラケット本体８Ａの周縁部に止着され、この端部の近傍から横方向（水平方向）から下方向（鉛直方向）へ屈曲する第１屈曲部９０Ｂと、下方向から横方向へ屈曲する第２屈曲部９０Ｃと、を有し、両端部のうちの他方の端部の近傍は、横方向から下方向へ屈曲する第３屈曲部となっており、この第３屈曲部のうちの下方向へ延びる部分が、補強部材９１の底部９１Ａに形成された前記孔に挿通されるものでもよい。
【０２４０】
後者の場合には、シャッターケース５の内部における電源コード３９の配線作業の全ては、このシャッターケース５の底面部を構成する蓋部材５Ｄが外された状態で、作業者がシャッターケース５の内部に手を差し入れて行うことになる。すなわち、作業者は、シャッターケース５の内部に手を差し入れながら、電源コード３９を補強部材９１の底部９１Ａに順次載置していく作業を行うことになる。なお、後者の場合には、補強部材９１に載置した電源コード３９がこの補強部材９１から脱落することのないように、電源コード３９を補強部材９１に固定することが好ましい。例えば、電源コード３９と補強部材９１とを紐状部材で結んで固定する等することが好ましい。
【０２４１】
なお、本実施形態では、電源コード３９は、図３５の実施形態と同様に、下枠部材３４の底部３４Ａの孔３４Ｂを経由せずに、ガイドレール４Ｂの下端部（シャッターカーテン３１の閉じ側の端部）近傍の外側面部（図３６では右側面部）に形成された図示しない孔に挿通された後、さらに、このガイドレール４Ｂの下端部近傍の外側面部に密着して配置されたキャップ部材４４の本体４４Ａの側面部（図３６では左側面部）に形成された図示しない孔にも挿通されるようにしてもよい。
【０２４２】
なお、以上説明した各実施形態において、電源コード３９は、補強部材９１，１９１の上に載置されるものではなく、シャッターケース５の本体５Ａの正面部の下端から内側に延びる図１２や図３０に示す突片部５Ｓの上に載置されるようにしてもよい。
【０２４３】
なお、以上説明した各実施形態において、電源コード３９は、補強部材９１，１９１の上に載置されるものではなく、シャッターケース５の底面部を構成する図１２や図３０に示す蓋部材５Ｄの上に載置されるようにしてもよい。
【０２４４】
なお、案内部材９０，１９０は、内部に挿通された電源コード３９を確認することが容易となるように、透明又は半透明となっていることが好ましい。
【０２４５】
なお、以上説明した各実施形態では、開閉機は、巻取軸の内部に収納されるものであったが、以上説明した実施形態に係る配線構造や配線方法は、開閉機を巻取軸の外部に配置した場合にも適用できる。
【０２４６】
すなわち、開閉機を巻取軸２０の外部に配置し、この開閉機を支持部材（取付部材）を介して左右一対の支持用ブラケット７，８のブラケット本体７Ａ，８Ａのうちのいずれか一方に支持する（取り付ける）場合においても、以上説明した実施形態に係る配線構造や配線方法を適用できる。
【０２４７】
例えば、開閉機を、ブラケット本体８Ａにおける巻取軸２０から図１１や図１２に示す案内部材９０の側（シャッターケース本体５Ａの正面部側）へ離間した位置であって、巻取軸２０から繰り出され、巻き取られるシャッターカーテン３１と干渉しない位置に取付部材を介して支持させる。そして、ブラケット本体８Ａにおける案内部材１０（言い換えると、図１１に示すブラケット本体８Ａの孔８Ｆや蓋部材５Ｃの孔５Ｋ）から上方向に離間した位置に、開閉機から延びる電源コードを挿通するための孔を形成し、蓋部材５Ｃやこの蓋部材５Ｃに取り付けられるキャップ部材４０の取付部材４０Ｂにも、内径寸法が前記孔の内径寸法と一致又は略一致し、中心位置が前記孔の中心位置と一致又は略一致する孔を形成する。
【０２４８】
この例では、開閉機を支持部材を介して支持用ブラケット８に支持させるときに、開閉機から延びる電源コードを、上述したブラケット本体８Ａの孔と蓋部材５Ｃの孔とキャップ部材４０の取付部材４０Ｂの孔とに挿通して蓋部材５Ｃの外部に一旦突出させる作業工程を実施する。そして、開閉機を支持用ブラケット８に支持させた後、蓋部材５Ｃの外部に一旦突出された電源コードを、前述した各実施形態に係る配線構造に応じた配線作業を実施する。
【０２４９】
なお、開閉機を巻取軸の外部に配置する場合には、開閉機は、チェーン、スプロケット等で構成される動力伝動手段を介して、巻取軸に連結する。すなわち、開閉機の電動モータの駆動力は、チェーン、スプロケット等で構成される動力伝動手段を介して、巻取軸に伝動させるようにする。
【０２５０】
なお、以上説明した実施形態では、支持用ブラケット７のブラケット本体７Ａの軸受け部９と、支持用ブラケット８のブラケット本体８Ａの軸受け部１０は、共に手動式巻取軸６を受けていた既存の軸受け部であったが、これらの軸受け部９，１０は、既存の軸受け部を交換した新たな軸受け部としてもよい。
【０２５１】
なお、以上説明した本実施形態に係る電動式シャッター装置は、手動式巻取軸から電動式巻取軸に改修されたシャッター装置であったが、本実施形態に係る配線構造、配線方法は、現場に新規に設置される電動式シャッター装置にも適用することができる。
【０２５２】
なお、以上説明した本実施形態に係る配線構造、配線方法及び改修方法は一例であり、これに限定されるものではない。
【産業上の利用可能性】
【０２５３】
本発明は、開閉体を開き移動と閉じ移動のうち、少なくとも開き移動させるための開閉機を備えた窓用シャッター装置や出入口用シャッター装置や防災用シャッター装置を含む各種の電動式シャッター装置（手動式巻取軸から電動式巻取軸に改修されたシャッター装置を含む）、ロールブラインド装置、オーニング装置、防煙垂れ幕装置、オーバーヘッドドア等に利用できる。
【符号の説明】
【０２５４】
４Ａ，４Ｂ  ガイド部材であるガイドレール
５  不動部材であって収納部材であるシャッターケース
２０  巻取軸である電動式巻取軸
２０Ｂ  電動式巻取軸の軸方向の両端部のうちのの一方の端部
２１  開閉機
２１Ｃ  開閉機の電動モータ
２１Ｄ  開閉機のブレーキ
３１  開閉体である電動用シャッターカーテン
３５  紐状部材である切替部材
３９  電気コードである電源コード
９１，１９１  補強部材
【図１】
0006006503.tif 000002
【図２】
0006006503.tif 000003
【図３】
0006006503.tif 000004
【図４】
0006006503.tif 000005
【図５】
0006006503.tif 000006
【図６】
0006006503.tif 000007
【図７】
0006006503.tif 000008
【図８】
0006006503.tif 000009
【図９】
0006006503.tif 000010
【図１０】
0006006503.tif 000011
【図１１】
0006006503.tif 000012
【図１２】
0006006503.tif 000013
【図１３】
0006006503.tif 000014
【図１４】
0006006503.tif 000015
【図１５】
0006006503.tif 000016
【図１６】
0006006503.tif 000017
【図１７】
0006006503.tif 000018
【図１８】
0006006503.tif 000019
【図１９】
0006006503.tif 000020
【図２０】
0006006503.tif 000021
【図２１】
0006006503.tif 000022
【図２２】
0006006503.tif 000023
【図２３】
0006006503.tif 000024
【図２４】
0006006503.tif 000025
【図２５】
0006006503.tif 000026
【図２６】
0006006503.tif 000027
【図２７】
0006006503.tif 000028
【図２８】
0006006503.tif 000029
【図２９】
0006006503.tif 000030
【図３０】
0006006503.tif 000031
【図３１】
0006006503.tif 000032
【図３２】
0006006503.tif 000033
【図３３】
0006006503.tif 000034
【図３４】
0006006503.tif 000035
【図３５】
0006006503.tif 000036
【図３６】
0006006503.tif 000037